(57)【要約】  屋根における水分の漏れを検出し、かつこうした漏れに関する視覚的な警報を提供するためのシステム、方法、および装置であって、屋根膜の穴開けまたはこれを傷つけることを必要とせず、二部品型水分検出およびインジケータシステムを備え、これはウィッキングセンサーと、ウィッキング部分と、ウィッキング部分から非電子信号を受信することを可能にする、膜の下方の非電子トリガー部分と、トリガー部分から非電子信号を受信し、その後、漏れの通知を生成することを可能にする、膜の上方の非電子インジケータ部分と、を備える。【選択図】図６
2022502677.tif 000002
【特許請求の範囲】
【請求項１】
建物膜の穴開けまたは傷つけることを必要としない水分の漏れの検出および表示において使用するための装置であって、ｉ）ウィッキングセンサーと、ｉｉ）長手方向または別の方法で前記ウィッキングセンサーに接合されるウィッキング部分と、ｉｉｉ）使用時に前記建物膜の下方への配置のための非電子トリガーハウジングであって、前記ウィッキングセンサーからの水分に応答してウィッキング部分から信号を受信するように適合された非電子トリガーハウジングと、ｉｖ）使用時に、前記建物膜の上方の、かつ前記トリガーハウジングと整列した配置のための非電子インジケータハウジングと、を備え、前記非電子インジケータハウジングが、前記トリガーハウジングから非電子トリガー信号を受信し、かつ、その後、漏れの通知を生成するように適合される、装置。
【請求項２】
前記非電子トリガー信号が、前記トリガーハウジングおよび前記インジケータハウジング内の二つ以上の構成要素の少なくとも一つの磁界結合である、請求項１に記載の装置。
【請求項３】
通知が、そうでなければ前記トリガーハウジングから前記非電子トリガー信号があるまで分離されている、二つ以上の磁石（建物膜の下方に少なくとも一つ、および前記建物膜の上方に少なくとも一つ）の結合によって達成される、請求項１に記載の装置。
【請求項４】
前記トリガーハウジングが、前記トリガーハウジングのチャネル内で使用時に設定可能なトリガーエンドピースを備え、かつこのトリガーエンドピースが、前記ウィッキングセンサーの遠位の前記ウィッキング部分の一方の端部（前記「トリガー部分」）に取り外し可能に取り付けられる、請求項１に記載の装置。
【請求項５】
前記ウィッキング部分が、前記ウィッキングセンサーからの水分に応答して実質的に変化可能であり（前記「材料の変化」）、そしてそれによって、トリガー部分を起動して、前記トリガーハウジング内の第一の磁界と、前記インジケータハウジング内の第二の磁界とを結合させる手段を形成し、前記結合が、その後、前記インジケータハウジング内の水分警報を起動する、請求項１に記載の装置。
【請求項６】
トリガーエンドピースが、装置セットアップ中に、前記チャネルの端部にある固定された磁石および前記インジケータハウジング内の磁石に引き付けられる上向きに面する磁石から引き付けられるが、離隔する、前向きに面する磁石を備える、請求項４に記載の装置。
【請求項７】
材料の変化が、分離、分割、破損、部品の溶解、伸張、収縮、膨張、上昇、下降、垂直もしくは水平もしくは斜めの移動、引き、押し、またはそれらの任意の組み合わせを含むがこれらに限定されない、前記ウィッキング部分の任意の物理的破壊である、請求項５に記載の装置。
【請求項８】
磁界結合が、そうでなければ、前記ウィッキングセンサーの少なくとも一部において材料の変化があるまで分離されている、二つ以上の磁石（建物膜の下方の磁石および前記建物膜の上方の磁石）の結合によって達成される、請求項２に記載のデバイス。
【請求項９】
前記トリガーハウジングが、トリガーエンドピースを備え、使用時に前記トリガーハウジングのチャネル内で設定可能であり、かつそのトリガーエンドピースが、前記ウィッキングセンサーの遠位の前記ウィッキング部分の一方の端部（「トリガー部分」）に取り外し可能に取り付け可能であり、装置が、前記トリガーエンドピース上に前向きに面する磁石および上向きに面する磁石と、前記トリガー基部ハウジングの前記チャネルの端部における固定された磁石と、少なくとも一つのインジケータハウジング磁石と、を備え、その磁石が、水平および垂直の移動、転がり、摺動、回転、傾斜、トグル、反転、上昇もしくは下降、旋回、または前述の任意の組み合わせを含む、移動の能力を有する、請求項１に記載の装置。
【請求項１０】
前記ウィッキングセンサーの少なくとも一部における材料の変化によって、前記トリガーハウジング内のチャネルの端部において固定された磁石へと引き付けられるが、しかし装置の設定中に離隔される、トリガーエンドピース上に配置された前向きに面する磁石と、前記インジケータハウジング内の磁石へと引き付けられる上向きに面する磁石と、を移動させることが可能になる装置であって、これらの磁石が、水平および垂直の移動、転がり、摺動、回転、傾斜、トグル、反転、上昇もしくは下降、旋回、または前述の任意の組み合わせを含む移動の能力を有する、請求項１に記載の装置。
【請求項１１】
前記トリガーハウジングが、トリガーエンドピースを備え、前記トリガーハウジングのチャネル内で使用時に設定可能な装置であり、かつこのトリガーエンドピースが、前記ウィッキングセンサーの遠位の前記ウィッキング部分の一方の端部（「トリガー部分」）に取り外し可能に取り付け可能であり、前記ウィッキング部分内の材料の変化に応答して、前記トリガーエンドピースを引く手段（「引張手段」）をさらに備え、これにより前記非電子トリガー信号が前記インジケータへと送達されて漏れの通知が可能になる、請求項１に記載の装置。
【請求項１２】
前記トリガーハウジングが、トリガーエンドピースを備え、前記トリガーハウジングのチャネル内で使用時に設定可能な装置であり、かつこのトリガーエンドピースが、前記ウィッキングセンサーの遠位の前記ウィッキング部分の一方の端部（「トリガー部分」）に取り外し可能に取り付け可能であり、前記ウィッキング部分内の材料の変化に応答して、前記トリガーエンドピースを押す手段（「押し手段」）をさらに備え、これにより前記非電子トリガー信号が前記インジケータへと送達されて漏れの通知が可能になる、請求項１に記載の装置。
【請求項１３】
引張手段が、弾性バンド、ワイヤ、ばね、および引張力を生成する能力を有する他の材料からなる群から選択される任意の付勢手段である、請求項１１に記載の装置。
【請求項１４】
前記押し手段が、弾性バンド、ワイヤ、ばね、膨張材料、および押す力を生成する能力を有する他の材料からなる群から選択される任意の付勢材料である、請求項１２に記載の装置。
【請求項１５】
前記押す手段が、押す手段が、圧縮ゴム、プラスチック発泡体、および他の圧縮材料、ならびに押す力を生成する能力を有する物質からなる群から選択される任意の膨張材料である、請求項１２に記載の装置。
【請求項１６】
前記トリガーハウジングが、前記トリガーハウジングのチャネル内で使用時に設定可能なトリガーエンドピースを備え、かつこのトリガーエンドピースが、前記ウィッキングセンサーの遠位の前記ウィッキング部分の一方の端部（「トリガー部分」）に取り外し可能に取り付けられ、かつ、
ｉ）前記ウィッキング部分内の材料の変化に応答して、前記トリガーエンドピースを押す手段（「押し手段」）と、
ｉｉ）前記ウィッキング部分の材料の変化に応答して、前記トリガーエンドピースを引く手段（「引張手段」）と、
ｉｉｉ）前記トリガーハウジングおよび前記インジケータハウジング内に、二つ以上の構成要素の磁界結合を発生するための手段と、のうちの一つ以上をさらに備え、
これにより、前記非電子トリガー信号の前記インジケータへの送達が生じて、漏れの通知を可能にする、請求項１に記載の装置。
【請求項１７】
前記インジケータハウジングが、少なくとも一つの磁界感知／表示シートまたはフィルムを備える、請求項１に記載の装置。
【請求項１８】
前記インジケータハウジングが、磁界感知強磁性流体を備える、請求項１に記載の装置。
【請求項１９】
非電子インジケータハウジングが、前記トリガーハウジングから前記非電子トリガー信号を受信し、そしてその後前記漏れの通知を生成する、少なくとも一つの長方形状磁石を備える、請求項１に記載の装置。
【請求項２０】
前記非電子インジケータハウジングが、前記トリガーハウジング内の類似の円筒状磁石へと引き付けられる複数の円筒状磁石を備え、これにより使用時に、前記非電子インジケータハウジングおよび前記トリガーハウジングが適切に整列される、請求項１に記載の装置。
【請求項２１】
前記非電子インジケータハウジングが、各隅に一つずつ四つの円筒状位置決め磁石を備え、二つが前部円筒状インジケータハウジング位置決め磁石であり、そして二つが後部円筒状インジケータハウジング位置決め磁石であり、また前記トリガーハウジングも、各隅に一つずつ四つの円筒状位置決め磁石を備え、二つが前部円筒状トリガーハウジング位置決め磁石であり、そして二つが後部円筒状トリガーハウジング位置決め磁石であり、かつ前記インジケータハウジングが、前記トリガーハウジングに対して一つの向きでのみ位置決めすることができることを確実にするために、前記後部円筒状トリガーハウジング位置的磁石が、前記前部円筒状インジケータハウジング位置決め磁石に対して反対の極性の向きである、請求項１に記載の装置。
【請求項２２】
前記非電子インジケータハウジングが、各隅に一つずつ四つの円筒状位置決め磁石を備え、二つが前部円筒状インジケータハウジング位置決め磁石であり、そして二つが後部円筒状インジケータハウジング位置決め磁石であり、また非電子インジケータハウジングは、前記トリガーハウジングからの前記トリガー信号の受信に伴い、その後漏れの通知を生成するために、トリガーしていない位置（水分の検出なし）からトリガーした位置（水分検出）へと移動可能なインジケータ磁石も含み、前記二つの前部円筒状インジケータハウジング位置決め磁石が、前記インジケータ磁石と同じ極性および向きであり、これにより水分の検出とトリガー発生まで、インジケータ磁石が前記二つの前部円筒状インジケータハウジング位置決め磁石によって定位置に保持される（トリガー位置へと物理的に引っ張ることができない）、請求項１に記載の装置。
【請求項２３】
前記トリガーハウジングが、前記トリガーハウジングのチャネル内で使用時に設定可能なトリガーエンドピースを備え、かつこのトリガーエンドピースが、前記ウィッキングセンサーの遠位の前記ウィッキング部分の一方の端部（「トリガー部分」）に取り外し可能に取り付けられ、トリガーエンドピースが、前に面する磁石および上向きに面するトリガーハウジング結合磁石を備え、トリガーハウジングのチャネルが、前記前に面する磁石へと引き付けられる固定された磁石を備え、前記インジケータハウジングが、前記トリガーハウジングから前記トリガー信号を受信すると、その後漏れの通知を生成するために、トリガーしていない位置（水分の検出なし）からトリガーした位置（水分検出）へと移動可能なインジケータ磁石を備え、前記上向きに面するトリガーハウジング結合磁石が意図的に位置付けられ、前記インジケータ磁石から実質的に後方に引かれ、これにより前記インジケータハウジングが前記建物膜に対して、トリガーハウジングの真上に、正しく位置付けられ、かつ接着されているとき、前記インジケータ磁石と前記上向きに面するトリガーハウジング結合磁石との間の引きは相当であり、そして水分検出のトリガーがあるとき、前記前に面する磁石は、前記固定された磁石に向かってパチンコのように飛び出し、そして前記上向きに面するトリガーハウジング結合磁石は、前記インジケータ磁石を係合し、かつ摩擦を克服するのを助ける、請求項１に記載の装置。
【請求項２４】
前記建物膜が屋根膜である、請求項１に記載の装置。
【請求項２５】
前記ウィッキングセンサーが水分浸透性であり、かつ前記ウィッキング部分が水分浸透性ではない、請求項１に記載の装置。
【請求項２６】
漏れの前記通知を生成する手段が、前記非電子インジケータハウジングにおいて警報を提供するための、少なくとも一つの磁気的なポップピン、部品、または他の構成要素を含む、請求項１に記載の装置。
【請求項２７】
漏れの前記通知を生成する手段が、前記非電子インジケータハウジングにおいて警報を提供するための、少なくとも一つの磁気的な飛び出すピン、部品、または他の構成要素を含み、そのピン、部品、または他の構成要素が、暗色、有色、白色、および不透明、から成る群から選択される自由抵抗液体を変位させる、請求項１に記載の装置。
【請求項２８】
漏れの前記通知を生成するための手段が、前記非電子トリガー信号の影響下で移動に反応する（引き上げられる、または押し下げられる）前記非電子インジケータハウジング内の円筒管を含む、請求項１に記載の装置。
【請求項２９】
前記トリガーハウジング内に、その上向きの移動が、前記インジケータハウジングが前記トリガーハウジングの上方で正しく中心に位置するという警報を提供する、第二の同じ極性磁石に対して押し上げる磁界発生手段をさらに備える、請求項１に記載の装置。
【請求項３０】
漏れの前記通知を生成する手段が、前記上部磁石を下降または上昇させて、それによって水分の視覚的警報を生成するように協調して作用する、反対側の極性磁石（インジケータハウジング内の上部磁石およびトリガーハウジング内の下部磁石）を備える、請求項１に記載の装置。
【請求項３１】
建物膜の穴開けまたはこれを傷つけることを必要としない水分の漏れを検出および表示する方法であって、
ａ）ウィッキングセンサーにおいて水分を検出することと、
ｂ）前記ウィッキングセンサーからウィッキング部分へと水分を吸い出すことと、
ｃ）前記水分の結果として前記ウィッキング部分の少なくとも一部における材料の変化をもたらすことであって、こうした変化がトリガー部分とインジケータ部分との間の係合をトリガーすることと、
ｄ）こうした係合に応答して前記インジケータ部分内に検出可能な信号を作り出すことであって、こうした検出可能な信号が前記ウィッキングセンサーにおける水分の通知である、作り出すことと、を含み、
トリガー部分が、前記建物膜の下方に配置されるように適合され、かつ前記ウィッキング部分および前記ウィッキングセンサーと機能的係合状態にあり、またインジケータ部分が前記建物膜の上方に配置されるように適合される、方法。
【請求項３２】
前記ウィッキングセンサーが水分浸透性であり、かつ前記ウィッキング部分が水分浸透性ではない、請求項３１に記載の方法。
【請求項３３】
トリガー部分とインジケータ部分との間の係合をトリガーすることが、そうでなければ、前記ウィッキングセンサーの少なくとも一部に材料の変化が生じるまで分離されている二つ以上の磁石（建物膜の下方の磁石、および前記建物膜の上方の磁石）の結合によって達成される、請求項３１に記載の方法。
【請求項３４】
磁界結合が、そうでなければ、前記ウィッキングセンサーの少なくとも一部に材料の変化が生じるまで分離されている二つ以上の磁石（建物膜の下方の磁石および建物膜の上方の磁石）を結合することによって達成され、これが少なくとも一つの磁石をもう一方の磁石に対して移動させ、こうした移動が、水平および垂直の移動、転がり、摺動、回転、傾斜、トグル、反転、上昇もしくは下降、旋回、または前述の任意の組み合わせを含む、請求項３１に記載の方法。
【請求項３５】
材料の変化が、分離、分割、破損、部品の溶解、伸張、収縮、膨張、上昇、下降、垂直もしくは水平もしくは斜めの移動、引き、押し、またはそれらの任意の組み合わせを含むがこれらに限定されない、前記ウィッキング部分の任意の物理的破壊である、請求項３１に記載の方法。
【請求項３６】
建物膜の穴開けまたはこれを傷つけることを必要としない水分の漏れを検出および表示する方法であって、
ａ）ウィッキングセンサーにおいて水分を検出することと、
ｂ）前記ウィッキングセンサーから一つ以上のウィッキング部分へと水分を吸い出すことと、
ｃ）前記水分の結果として、一つのトリガーエンドピース内のウィッキング部分における材料の変化をもたらすことであって、こうした変化が前記トリガーエンドピース内のトリガー部分とインジケータ部分との間の係合をトリガーすることと、
ｄ）こうした係合に応答して前記インジケータ部分内に検出可能な信号を作り出すことであって、こうした検出可能な信号が前記ウィッキングセンサーにおける水分の通知である、作り出すことと、を含み、
前記トリガーエンドピース内の前記トリガー部分が、前記建物膜の下方に配置されるように適合され、かつ前記ウィッキング部分および前記ウィッキングセンサーと機能的係合状態にあり、またインジケータ部分が前記建物膜の上方に配置されるように適合される、方法。
【請求項３７】
トリガー部分とインジケータ部分との間の係合をトリガーすることが、前記ウィッキング部分の材料の変化に応答してトリガーエンドピースを引く任意の手段（「引張手段」）によって達成される、請求項３６に記載の方法。
【請求項３８】
トリガー部分とインジケータ部分との間の係合をトリガーすることが、前記ウィッキング部分の材料の変化に応答してトリガーエンドピースを押す任意の手段（「押し手段」）によって達成される、請求項３６に記載の方法。
【請求項３９】
引張手段が、弾性バンド、ワイヤ、およびばね、ならびに引張力を生成する能力を有する他の材料からなる群から選択される任意の付勢手段である、請求項３７に記載の方法。
【請求項４０】
押し手段が、弾性バンド、ワイヤ、ばね、膨張材料、および押す力を生成する能力を有する他の材料からなる群から選択される任意の付勢材料である、請求項３８に記載の方法。
【請求項４１】
前記押す手段が、押す手段が、圧縮ゴム、プラスチック発泡体、および他の圧縮材料、ならびに押す力を生成する能力を有する物質からなる群から選択される任意の膨張材料である、請求項３８に記載の方法。
【請求項４２】
磁石が、円形、長方形状、円筒状、および正方形からなる群から選択される形状である、請求項３、６、８、および１０のいずれかに記載の装置。
【請求項４３】
通知を伝達するための無線／Ｗｉ−Ｆｉ／データ信号送信機をさらに備える、請求項１に記載の装置。
【請求項４４】
モバイルアプリケーション、ウェブプラットフォーム、またはデータストレージのうちの一つ以上の上で視認するために、インターネットゲートウェイを介して警報を伝達する手段をさらに備える、請求項１に記載の装置。
【請求項４５】
ネットワーク、モバイルアプリケーション、ウェブプラットフォーム、システム、およびプログラム製品であって、屋根設置者、検査員、建物所有者、建物のメンテナンス人員を含むが、これらに限定されないユーザーのための、建物膜の穴開けまたは建物膜を傷つけることを必要としない手段によって漏れを検出するための、統合フォーラムを備え、この統合フォーラムが、
ａ）ウィッキングセンサーにおいて水分を検出することと、
ｂ）前記ウィッキングセンサーからウィッキング部分へと水分を吸い出すことと、
ｃ）前記水分の結果として前記ウィッキング部分の少なくとも一部における材料の変化をもたらすことであって、こうした変化がトリガー部分とインジケータ部分との間の係合をトリガーすることと、
ｄ）こうした係合に応答して前記インジケータ部分内に検出可能な信号を作り出すことであって、こうした検出可能な信号が前記ウィッキングセンサーにおける水分の通知である、作り出すことと、を含み、
トリガー部分が、前記建物膜の下方に配置されるように適合され、かつ前記ウィッキング部分および前記ウィッキングセンサーと機能的係合状態にあり、インジケータ部分が前記建物膜の上方に配置されるように適合され、信号がネットワーク、モバイルアプリケーション、ウェブプラットフォーム、システム、およびプログラム製品に送達され、これによりユーザーが信号を視認し、かつおよび信号にアクセスすることができる、ネットワーク、モバイルアプリケーション、ウェブプラットフォーム、システム、およびプログラム製品。
【発明の詳細な説明】
【技術分野】
【０００１】
本発明は、建物における水分を検出および表示するための装置、システム、および方法の分野に関する。より具体的には、本発明は、屋根で使用するための水分検出および水分表示材料、ならびに屋根膜を通した穴開けを必要としないが、屋根の壁面または建物もしくは住居の壁面に配置することもできるこうした材料を組み込む屋根漏れ検出システムの分野に関する。
【背景技術】
【０００２】
屋根システムの主な機能は、建物の内側の乾燥を保持することである。屋根膜の下方の屋根断熱材は、夏は建物を涼しい状態に保持し、冬は暖かい状態に保持する。断熱材が濡れた場合、その機能性が低減され、または失われる。こうした場合、暖房および冷房のコストが急増する場合があり、また屋根システム内の水の結果は、壊滅的ではないにしても、より深刻である可能性がある。さらなる結果としては、断熱材の腐敗、鋼製デッキおよび断熱材締結具の腐食、木製デッキの腐り、有毒なカビ、うっとうしい漏れ、屋内の壁面および天井への損傷、貯蔵品の汚損、および早期の屋根の不具合が挙げられる場合がある。
【０００３】
既存の屋根の漏れは、とりわけ、屋根が、デッキの次の屋根エンベロープの底部に非伝達性要素（防湿材または二次的な屋根膜など）を有する場合、特に問題である。これらの場合、屋根エンベロープの中へと漏れている水は、最も低い膜が水に対する障壁として作用するため、実際に建物の中へと漏れることなく、断熱材およびエンベロープ内の他の要素を飽和させる可能性がある。やがて、水は、通気口の煙突、機械設備に対する縁、導管等などの貫通部を介して、屋根エンベロープを通して建物の中へと入り、下から見えるようになる。この時までに、是正措置は、水による損傷の程度を判定するために屋根エンベロープ内の中心部を切断し、屋根の大部分を除去し、屋根エンベロープの現在の状態を示すために赤外線またはその他の試験を実施する等、などの大がかりなものとなっている場合がある。
【０００４】
さらに、屋根エンベロープが水で飽和した場合、屋根エンベロープからの計画されたエネルギー効率の一部が失われる。建物構造はまた、水の腐食効果も経験し、したがってその浸透性を損なう場合がある。誰にも知られずに、このプロセスは、北米にわたる何千もの屋根、そして実際には世界中のあらゆる場所の建設環境において生じている。
【０００５】
前述のすべては、建物所有者、および一部の場合には、建物の入居者にさえも著しいコストの結果をもたらす可能性がある。さらに、前述の条件のうちのいずれか一つが、何らかの屋根のメンテナンスおよび修理コストに加えて、建物所有者に対して破壊した屋根の交換を生じさせる可能性がある。商業建築物の場合だけでも、平坦な商業建築物の屋根の中の濡れた断熱材は世界中でコストのかかる問題であり、所有者に対して数十億ドル規模の修理の価札が作りだされている。
【０００６】
今日の高性能屋根システムは、より高価であり、また複雑さも増しており、典型的には日中の目視検査を実施するために訓練を受けた屋根コンサルタントを必要とする。統計的に、建物の中への水分の漏れのおよそ８０％は、貫通部／屋根突出部、縁、壁、手すり壁、排水管、および排水口で生じることが知られている。こうした漏れの多くは隠されており、また膜および断熱材の中に蓄積し、しばしば、いかなる水分の滴りも建物に入る前にゆっくりと拡がり、かつ屋根システムを破壊する可能性がある。屋根の上に水が溜まり、そして露出した屋根膜の継ぎ目の不具合が水の侵入を引き起こす場合、他の漏れが生じる可能性がある。
【０００７】
屋根の目視検査中に、屋根システムの中へのこうした８０％の漏れを検出することができるとしたら、価値があることになることが理解される。しかしながら、屋根のメンテナンス人員、コンサルタント、および検査員は、典型的には、自分たちの目だけを使用して屋根の表面の下の水分を見ることはできない。したがって、屋根の目視検査は、典型的には価値が限られており、またしばしば隠れた屋根の漏れの問題を見逃す。
【０００８】
表面の下の水分を検出するためには、従来、分析のためにより高度なツールが必要とされ、その使用には、追加的な作業、追加的な訓練、およびサービスを実施するための追加的なコストが必要とされる。これらのツールとしては、原子力計、静電容量／ＲＦ計、および赤外線スキャナを使用する非破壊試験が挙げられる。破壊試験としては、中心部の切断および水分検出プローブが含まれるが、典型的には、水分が疑われる、または水分が非破壊ツールで見つかるまで中心部およびプローブは使用されない。
【０００９】
屋根上では、赤外線スキャナの使用は、日没後または夜明けにおける検査を実施するための狭い「絶好の機会」に限定され、これは、日中の屋根検査および水分プローブ中のデータを検証するための追跡訪問を意味する。屋根上では、ＩＲスキャナは、太陽が昇った後の日中はあまり役に立たないか、または誤った結果を生成する。
【００１０】
核機器の場合には、日中に使用することができるが、放射能のため危険であり、したがって実際には稀にしか使用されない。使用には、特別な放射性バッジ、追加的な安全注意事項、および訓練、ならびにライセンスが必要とされる。
【００１１】
静電容量／ＲＦメーターは有用である可能性があるが、訓練を必要とし、また赤外線が冬または雨の日には困難または不可能であるのと同じように、使用するには乾燥した屋根表面を必要とする。
【００１２】
屋根の専門家は、典型的には屋根検査の習慣的な検査中に、追加の作業を実施するための追加的な料金を支払わない限り、追加的なコストがかかるため、これらの追加的なツールを使用しない。それ故に、従来から使用されている機器の制限（およびコスト）を有しない、目視検査中にこうした隠れた漏れを検出するための改善されたアプローチを有することは有利であり、かつ価値がある。屋根を歩いている人が、屋根表面（および一部の壁）を見渡し、そして水分の漏れがあったかどうか（電子機器／検出器の使用に頼ることなく）を知ることが可能である場合、非常に有用であることになることが認識された。さらに、ユーザーまたは屋根検査員に対する漏れの状態の表示を提供するための、屋根システムの中への漏れの視覚的表示を提供する任意のセンサーが、センサーによる屋根膜の物理的貫通を必要としない場合、有用であることになる。
【００１３】
また、非貫通型センサーが、この漏れ状態の表示をユーザーまたは屋根検査員に伝達するために、いかなる電子機器、電池、太陽電池、またはワイヤも必要としない場合にも有用であることになる。
【００１４】
本発明の目的は、これらの公知の水分検出装置、システム、および方法の欠点を取り除く、または軽減することである。
【発明の概要】
【００１５】
本発明の目的は、公知の検出手段の機能的および構造的な欠陥を克服する、水分の漏れを検出および表示に使用するための二部品型水分検出およびインジケータ装置ならびにシステムを提供することである。
【００１６】
本発明の目的は、その場で屋根膜の漏れを検出および位置特定するための、その中に装置を配置し得る装置、方法、およびシステムを提供することである。
【００１７】
本発明の目的は、膜屋根または防水の漏れを、屋根システム内の異なる高さにおいて、屋根膜の穴開けまたはいかなる種類のセンサーシステムの使用の侵害も必要としない屋根センサーを用いて検出するための最も効率的なやり方を提供することであり、ここで屋根の漏れの状態の情報を屋根膜下方から膜を通過させる、または伝達する（穴開けまたは侵害することなく）ことができ、屋根業者は装置を、単純に、安価に、かつ簡単に設置および使用し得る。
【００１８】
本発明は、屋根膜の穴開けまたは建物膜を傷つけることを必要としない水分の漏れを検出および表示において使用するための二部品型水分検出およびインジケータならびにシステムを提供する。本発明が、屋根のための水分検出および警報システムとして特に有用な用途を有することが企図されており、それ故に、本明細書では屋根の状況で考察および図示されるが、当然のことながら、これは、一部の建物、建物の構造、または建物の一部を含む、異なるシナリオで使用するための、水分検出および警報システムとして使用するために容易に適合されてもよい。様々な可能な使用が、本開示を通して明らかになるであろう。
【００１９】
本発明の態様によれば、本明細書では、屋根における水分の漏れを検出し、こうした漏れに関する視覚的警報を提供するための、二部品型水分検出および表示システムを含む、システム、方法、および装置が開示される。水分検出およびインジケータシステムは、ウィッキングセンサーと、ウィッキング部分と、ウィッキング部分から非電子信号を受信することを可能にする、膜の下方の非電子トリガー部分と、トリガー部分から非電子信号を受信し、その後、漏れの通知を生成することを可能にする、膜の上方の非電子インジケータ部分と、を含む。
【００２０】
膜の上方の非電子インジケータ部分が、それによって、ｉ）膜の下方のトリガー部分から非電子信号を受信することと、ｉｉ）その後、漏れの通知を生成することと、を可能にする手段は、本明細書に説明され、かつ特許請求される様々なやり方で達成することができる。本発明の中心となる特徴は、膜の上方の非電子インジケータ部分が膜の下方のトリガー部分と非電子的に通信し、そしてその後、インジケータ部分が非電子信号／水分警報を作り出すことである。一態様では、非電子信号および通知発生は、磁界結合の使用によって達成される。本発明の一部の態様では、こうした結合のために実際の磁石が使用され、または代替的な磁界感知／表示シートでは、磁界感知性の強磁性流体およびこれに類するものが同じ目的で採用される。基部トリガートレイと端部チャネルの磁石との間の磁界結合の使用の代替として、トリガー部分内の「トリガー」、およびインジケータ部分内の警報を作り出すために使用することができる、弾性バンド、ワイヤ、ばね、および膨張材料を含むがこれらに限定されないものを使用することができる、押し引き式の「機械的」手段を採用することができる。
【００２１】
少なくとも一つのウィッキングセンサーは、漏れの検出が必要とされる区域の周りに一般的に設置され、そして漏れからウィッキング部分を介してトリガー部分へと水分を吸い出すように機能し、これは、非電子的な磁界結合を介して、隙間のない非貫通屋根膜を通して、こうした磁界結合に応答して、漏れ状態を屋根膜の上方のインジケータ部分に伝達し、水分検出の警報を提供する視覚的な変化を起こす。下記の好ましい実施形態のセクションにより詳細に説明するように、下部（膜の下方）のトリガー部分と上部（膜の上方）のインジケータ部分との間の磁界結合は、様々なやり方で達成されてもよく、そしてすべてが完全に本発明の範囲内である。例えば、一つのやり方は、インジケータ部分内の磁石の移動を介して、トリガー部分内の第一の磁界とインジケータ部分内の第二の磁界との結合の結果として警報信号を起動することであり、こうした結合は、ウィッキング部分内の材料の変化によって起動され、当該材料の変化は、ウィッキングセンサーからのウィッキング部分内の水分によって直接的または間接的に引き起こされる。
【００２２】
警報は、屋根に検査中に屋根検査の専門家によって観察されることができるものであり、また潜在的な水分の漏れの問題に対してこうした専門家に情報を提供する役割を果たすように企図され、あるいは、警報は屋根の修理／サービス専門家をより緊密な検査のために呼び出すことができるように、屋根の潜在的な水分の漏れの問題に対して住居または建物所有者に警告する役割を果たすことができるように企図される。
【００２３】
より具体的には、本発明は、屋根上、屋上ユニット（ＲＴＵ）および屋根上の他の構造の周り、またはこうしたＲＴＵユニットおよび構造から離れた屋根のフィールド区域のどこかでの水分の漏れの検出において使用するための水分検出およびインジケータを提供し、これは、ａ）露出したウィッキングセンサーであって、水分に対して浸透性であり、かつ一般的に使用時に漏れ検出が必要とされる区域の周りに設置され、かつ漏れからウィッキング部分へと水分を吸い出すように機能する、ウィッキングセンサーと、ｂ）ウィッキング部分であって、水分に対して非浸透性であり、水分の吸い出し、およびウィッキング部分に沿ってウィッキングセンサーから離れるように水分の移動を可能にするために、長手方向、または別の方法でウィッキングセンサーに接合される、ウィッキング部分と、ｃ）使用時に屋根膜の下方にあり、かつウィッキング部分と係合可能な第一の磁界を備えるトリガー部分と、ｄ）使用時に屋根膜の上方にあり、かつ取り外し可能にトリガー部分の真上に整列している、第二の磁界を備えるインジケータ部分と、を備え、ウィッキングセンサーからのウィッキング部分内の水分が、直接的または間接的にウィッキング部分内の材料の変化を起動し、この材料の変化は、トリガー部分が第一の磁界と第二の磁界を結合させるように方向付け、次いで、当該結合は、インジケータ部分内の水分警報を起動する。
【００２４】
一態様では、ウィッキング部分内の材料の変化によって、ウィッキング部分から非電子信号を受信することが可能である、膜の下方の非電子トリガー部分は、ｉ）ウィッキング部分の供給およびトリガー部分ハウジングの少なくとも一部の中の配置のための、それを通る少なくとも一つのチャネルおよび関連付けられたハウジング開口と、ｉｉ）第一の磁界を発生する手段と、ｉｉｉ）使用時に、トリガー部分をインジケータ部分と非電子的に整列させる手段と、を備える囲まれたトリガー部分ハウジングを備える。
【００２５】
本発明は、建物膜の穴開けまたは建物膜を傷つけることを必要としない水分の漏れを検出および表示において使用するための装置を提供し、ｉ）ウィッキングセンサーと、ｉｉ）長手方向または別の方法でウィッキングセンサーに接合されたウィッキング部分と、ｉｉｉ）使用時に建物膜の下方への配置のための非電子トリガーハウジングであって、ウィッキングセンサーからの水分に応答してウィッキング部分から信号を受信するように適合された当該非電子トリガーハウジングと、ｉｖ）使用時に、建物膜の上方の、かつトリガーハウジングと整列した配置のための非電子インジケータハウジングと、を備え、当該非電子インジケータハウジングは、トリガーハウジングから非電子トリガー信号を受信し、かつ、その後、漏れの通知を生成するように適合される。
【００２６】
本発明は、建物膜の穴開けまたは建物膜を傷つけることを必要としない水分の漏れを検出および表示する方法を提供し、
ａ）ウィッキングセンサーにおいて水分を検出することと、
ｂ）ウィッキングセンサーからウィッキング部分へと水分を吸い出すことと、
ｃ）水分の結果としてウィッキング部分の少なくとも一部における材料の変化をもたらすことであって、こうした変化がトリガー部分とインジケータ部分との間の係合をトリガーすることと、
ｄ）こうした係合に応答してインジケータ部分内に検出可能な信号を作り出すことであって、こうした検出可能な信号がウィッキングセンサーにおける水分の通知である、作り出すことと、を含み、
トリガー部分は、建物膜の下方に配置されるように適合され、かつウィッキング部分およびウィッキングセンサーと機能的係合状態にあり、またインジケータ部分は建物膜の上方に配置されるように適合される。
【００２７】
本発明は、建物膜の穴開けまたは建築膜を傷つけることを必要としない水分の漏れを検出および表示する方法をさらに提供し、
ａ）ウィッキングセンサーにおいて水分を検出することと、
ｂ）ウィッキングセンサーから一つ以上のウィッキング部分へと水分を吸い出すことと、
ｃ）水分の結果として、一つのトリガーエンドピース内のウィッキング部分における材料の変化をもたらすことであって、こうした変化がトリガーエンドピース内のトリガー部分とインジケータ部分との間の係合をトリガーすることと、
ｄ）こうした係合に応答してインジケータ部分内に検出可能な信号を作り出すことであって、こうした検出可能な信号がウィッキングセンサーにおける水分の通知である、作り出すことと、を含み、
トリガーエンドピース内のトリガー部分は、建物膜の下方に配置されるように適合され、かつウィッキング部分およびウィッキングセンサーと機能的係合状態にあり、またインジケータ部分は建物膜の上方に配置されるように適合される。
【００２８】
一態様では、トリガー部分から非電子信号を受信し、そして漏れの通知を生成することが可能である膜の上方の非電子インジケータ部分は、ｉ）第二の磁界を発生する手段と、ｉｉ）ユーザーが見ることができる上に面する表面と、ｉｉｉ）トリガー部分内の第一の磁界と第二の磁界との結合の結果として、警報信号を発生する手段と、ｉｖ）使用時に、インジケータ部分をトリガー部分と非電子的に整列させる手段と、を備える、囲まれたインジケータ部分ハウジングを備える。
【００２９】
本発明の別の態様によれば、本明細書に説明されるようなこうした水分検出およびインジケータならびにシステムを使用して、水分を検出するための方法が本明細書に開示される。より具体的には、本発明は、屋根エンベロープ内の水分の漏れを検出するための方法を提供し、屋根エンベロープは、屋根膜、おそらくは断熱カバーボード、断熱材、防湿材、およびデッキを含み、屋根の穴開けを通した情報の伝達なしに、本明細書に説明および請求されるように、屋根膜の下方および上方に、水分検出およびインジケータ対を設置することを含む。より具体的には、トリガー部分は屋根膜の下方に設置され、またインジケータ部分は屋根膜の上方に設置される。設置は、屋根膜の穴開けを必要とせず、または屋上ユニット（ＲＴＵ）または当該屋根上の他の突出する構造を通した漏れ状態情報の経路設定を必要としない。
【００３０】
インジケータは、膜下の基部センサー／トリガー部分と、膜上方インジケータ部分とを含む。本発明の主要な態様は、トリガー部分とインジケータ部分とを対にすること、および水分検出に応答する、それらの間の磁界（非電子）通信である。膜下トリガー部分は、ｉ）使用時に膜下基部部分の周りの近傍の水分に対して浸透性であるウィッキングセンサーと、ｉｉ）水分の吸い出しおよびウィッキング部分に沿ってウィッキングセンサーから離れるように水分を移動することを可能にするためにウィッキングセンサーへと長手方向で接合した非浸透性ウィッキング部分と、ｉｉｉ）第一の磁界を発生する手段と、を備える。屋根膜の上方のインジケータ部分は、ｉ）トリガー部分からの第一の磁界と結合されてもよい第二の磁界を発生する手段と、ｉｉ）トリガー部分内の第一の磁界と第二の磁界との結合の結果として警報信号を発生する手段と、を備える。
【００３１】
一態様では、人員は、屋根膜下のウィッキングセンサーから屋根膜下の基部トリガー部分へと水分が吸い出されたという警報を探して、定期的にインジケータ部分を見ることになり、そしてこの状態は、屋根膜の上方にあるインジケータ部分で利用可能になる。本明細書でさらに説明するように、警報は、人員を屋根の現場に立ち会うことを必要としなくてもよいが、モバイルアプリ、ウェブプラットフォームで見るため、または保存（例えば、クラウドベースの監視センター内）のために、インターネットゲートウェイを介して警報データを転送する、インジケータ部分内の測定システムを通して伝達してもよい。
【００３２】
本発明の別の態様によれば、こうした二部品型水分検出およびインジケータを使用して、水分を検出するためのシステムが本明細書に開示される。より具体的には、本発明は、屋根エンベロープが屋根膜を含む場合、屋根エンベロープ内の漏れを検出および位置特定するためのシステムを提供し、当該システムは、膜下トリガー部分（底部基部）と膜上方インジケータ部分（上部）とを対で備える。こうした対にすることは、屋根膜の侵害または屋根膜を傷つけることを伴わない。
【００３３】
一態様では、膜下トリガー部分は、ｉ）屋根膜の下方の水分検出ウィッキングセンサーであって、任意選択的にシールドされたウィッキングセクションおよびトリガーセクションを備え、かつ屋根膜下での使用時に、ウィッキングセンサーの周りの近傍の水分に対して完全に浸透性である少なくとも一つのピースを含む、ウィッキングセンサーと、ｉｉ）ウィッキング部分であって、水分を吸い出し、かつウィッキング部分に沿って離れるように、ウィッキングセンサーから離れるように移動することを可能にするために、ウィッキングセンサーに長手方向にまたは別の方法で接合され、ウィッキング部分の少なくとも一部が、水分に応答して、材料の変化に対して直接的または間接的に起動され、その後当該材料の変化が、その（第一の磁界）をインジケータ部分の第二の磁界に結合するようにトリガー部分を方向付け、次いで、インジケータ部分内の水分警報を起動させることが可能になる、ウィッキング部分と、からなる。屋根膜の上方のインジケータ部分は、ｉ）ウィッキング部分内の材料の変化に応答して、トリガー部分からの第一の磁界と結合されてもよい第二の磁界を発生する手段と、ｉｉ）トリガー部分内の第一の磁界と第二の磁界との結合の結果として警報信号を発生する手段と、を備える。システムが設置されると、屋根断熱材、屋根膜、および縁の近くの屋根膜のはぎ取り、屋根ジャック、通気口、ならびに他の屋上ユニットの中への、またはこうしたＲＴＵから離れた屋根フィールド区域への隠れた水分の漏れを示すために、追加のツールまたはメーターは必要とされない。さらに、本発明は、昼間もしくは夜間に、湿ったもしくは乾燥した天候の間に、任意の時点で、漏れを示すことができる。システムが設置されると、隠れた水分の損傷がより大きい問題になる前に、定期的な目視検査を通して、屋根の突出部の近くだけでなく、屋根区域の任意の場所の早期に水分の漏れを検出および表示することが可能になる。
【００３４】
別の態様では、本発明は、ネットワーク、モバイルアプリケーション、ウェブプラットフォーム、システム、およびプログラム製品を備え、このプログラム製品は、屋根設置者、検査員、建物所有者、建物のメンテナンス人員を含むが、これらに限定されないユーザーのための、建物膜の穴開けまたは建物膜を傷つけることを必要としない手段によって漏れを検出するための、統合フォーラムを含み、この統合フォーラムは、
ａ）ウィッキングセンサーにおいて水分を検出することと、
ｂ）ウィッキングセンサーからウィッキング部分へと水分を吸い出すことと、
ｃ）水分の結果としてウィッキング部分の少なくとも一部における材料の変化をもたらすことであって、こうした変化がトリガー部分とインジケータ部分との間の係合をトリガーすることと、
ｄ）こうした係合に応答してインジケータ部分内に検出可能な信号を作り出すことであって、こうした検出可能な信号がウィッキングセンサーにおける水分の通知である、作り出すことと、を含み、
トリガー部分は、建物膜の下方に配置されるように適合され、かつウィッキング部分およびウィッキングセンサーと機能的係合状態にあり、インジケータ部分は建物膜の上方に配置されるように適合され、また信号は、ユーザーが信号を視認およびアクセスできるように、ネットワーク、モバイルアプリケーション、ウェブプラットフォーム、システム、およびプログラム製品に送達される。
【００３５】
本発明の装置、方法、およびシステムは、屋根の排水用の谷樋の近く、および屋根突出部、縁、壁、排水管および排水口の近くを含む、屋根膜上の任意の場所に、ほとんどのタイプの屋根膜において例外なく設置することができる、信頼性があり、かつ安価な適用である。
【００３６】
本出願の実施形態は、屋根膜を貫通する屋根センサーの根本的な問題を最終的に修正する。
【図面の簡単な説明】
【００３７】
【図１】図１は、水分ウィッキング部分およびトリガーエンドピースの実施形態を図示する、分解バージョンである、図５Ｃの上面図である。
【図１Ａ】図１Ａは、水分ウィッキング部分およびトリガーエンドピースの実施形態を図示する、分解バージョンである、図５Ｃの底面図である。
【図２】図２は、トリガー部分のハウジングのリッドの下側の平面図である。
【図３】図３は、（図４に示すカバーまたはリッドなしで）開放され、かつ露出された、インジケータ部分のハウジングの内部レイアウトの上面図である。
【図３Ａ】図３Ａは、インジケータ部分（図３で印をつけた区域である）のハウジングの内部レイアウトを図示する断面側面図である。
【図４】図４は、図３に示す、インジケータ部分のハウジングのリッドの下側の平面図である。
【図５】図５は、（図２に示すカバーまたはリッドなしで）開放され、かつ露出されたトリガー部分（トリガー基部ハウジング）のハウジングの内部レイアウトの上面図である。
【図５Ｂ】図５Ｂは、ウィッキングセンサー（図５Ｄで印をつけた区域である）を含む、トリガー基部ハウジング内のトリガーアセンブリの一実施形態を図示する断面側面図である。
【図５Ｃ】図５Ｃは、図５で印をつけた特定の区域の分解バージョンである、水分ウィッキング部分の等角図である。
【図５Ｄ】図５Ｄは、トリガー基部ハウジングの底面図である。
【図５Ｆ】図５Ｆは、図５Ｂで印をつけた特定の区域の分解バージョンである、水分ウィッキング部分の拡大側面図である。
【図５Ｇ】図５Ｇは、図５Ｂで印をつけた特定の区域の分解バージョンである、水分ウィッキング部分およびクランプ留め部分の拡大側面図である。
【図６】図６は、本発明の水分検出およびインジケータのその場でのアーキテクチャ全体の等角図であり、特に、上部インジケータハウジング、屋根膜、ウィッキングセンサーおよびウィッキング部分の両方の可視部を有するトリガーハウジングを図示する。
【図６Ａ】図６Ａは、図６で印をつけた特定の区域の分解バージョンである、インジケータ部分の拡大等角図である。
【図７】図７は、ウィッキングセンサーおよびトリガーハウジング（２チャネルバージョン）の両方の可視部を有する、上部インジケータハウジング（２チャネルバージョン）を包含する等角図である。
【図７Ａ】図７Ａは、（図７Ｂに示すカバーまたはリッドなしで）開放され、かつ露出されたトリガー部分（２チャネルバージョン）のハウジングの内部レイアウトの上面図である。
【図７Ｂ】図７Ｂは、トリガー部分（２チャネルバージョン）のハウジングのリッドの下側の平面図である。
【図７Ｃ】図７Ｃは、（図７Ｄに示すカバーまたはリッドなしで）開放され、かつ露出されたインジケータ部分（２チャネルバージョン）のハウジングの内部レイアウトの上面図である。
【図７Ｄ】図７Ｄは、図７Ｃに示す、インジケータ部分（２チャネルバージョン）のハウジングのリッドの下側の平面図である。
【図８】図８は、その中に係合されたトリガーエンドピースを有しないトリガーハウジングの上面図である、線画である。
【図９】図９は、その中に係合されたトリガーエンドピースを有するトリガーハウジングの上面図である、線画である。
【発明を実施するための形態】
【００３８】
図は、例示のみを目的として本発明の実施形態を示す。当業者は、本明細書に図示した構造および方法の代替的な実施形態が、本明細書に説明した本発明の原理から逸脱することなく採用されてもよいことを、以下の説明から容易に認識するであろう。
【００３９】
本発明の一つ以上の実施形態の詳細な説明が、本発明の原理を図示する添付図とともに下記に提供される。本発明は、こうした実施形態に関連して説明されるが、本発明は、いかなる実施形態にも限定されない。本発明の範囲は、特許請求の範囲によってのみ限定され、また本発明は多数の代替案、修正、および均等物を包含する。本発明の完全な理解を提供するために、多数の特定の詳細が以下の説明に記載されている。これらの詳細は、例示の目的のために提供され、また本発明は、これらの特定の詳細の一部またはすべてを有しないで、特許請求の範囲に従って実施されてもよい。明確の目的のため、本発明に関する技術分野における公知の技術資料は、本発明が不必要に不明瞭にならないように詳細に説明されていない。
【００４０】
本発明は、設計およびプロセスパラメータが維持されている限り、容量のスケーリングを含む、数多くの変形の影響を受けやすい。したがって、図面および好ましい実施形態の以下の説明は、本質的に例示として見なされるべきであり、制限として見なされるべきではない。
【００４１】
Ｉ．用語
「装置」という用語は、本発明に従って、別途明示的に特定されない限り、任意の機械、製造、および／または物質の組成物を意味する。より具体的には、装置は、一般的に、本発明の（ｉ）屋根膜ウィッキングセンサーおよびトリガー基部ユニットの下方と、（ｉｉ）屋根膜上部インジケータ部分の上方との対を指す。
【００４２】
「発明」という用語およびこれに類するものは、別途明示的に特定されない限り、「本出願で開示される一つ以上の発明」を意味する。
【００４３】
「態様」、「一実施形態」、「実施形態」、「実施形態（複数）」、「その実施形態」、「その実施形態（複数）」、「一つ以上の実施形態」、「一部の実施形態」、「ある特定の実施形態」、「一つの実施形態」、「別の実施形態」およびこれに類するものは、別途明示的に特定されない限り、「開示された発明（複数可）の一つ以上の（しかし全部ではない）実施形態」を意味する。
【００４４】
本発明の「変形」または「バリアント」という用語は、別途明示的に特定されない限り、本発明の実施形態を意味する。
【００４５】
実施形態を説明する際の「別の実施形態」または「別の態様」への言及は、別途明示的に特定されない限り、その参照される実施形態が別の実施形態（例えば、参照される実施形態の前に説明される実施形態）と相互に排他的であることを暗示するものではない。
【００４６】
「含む」、「備える」という用語、およびその変形は、別途明示的に特定されない限り、「含むがこれに限定されない」ことを意味する。
【００４７】
「一つの（ａ）」、「一つの（ａｎ）」および「その（ｔｈｅ）」という用語は、別途明示的に特定されない限り、「一つ以上の」を意味する。
【００４８】
「複数の」という用語は、別途明示的に特定されない限り、「二つ以上の」を意味する。
【００４９】
「本明細書において（ｈｅｒｅｉｎ）」という用語は、別途明示的に特定されない限り、「参照により組み込まれてもよい任意のものを含む、本明細書において」、を意味する。
【００５０】
「少なくとも一つの」という語句は、こうした語句が複数のもの（列挙されたもののリストなど）を修飾する場合、別途明示的に特定されない限り、それらのもののうちの一つ以上の任意の組み合わせを意味する。例えば、「少なくとも一つのウィジェット、車、およびホイール」という語句は、（ｉ）ウィジェット、（ｉｉ）車、（ｉｉｉ）ホイール、（ｉｖ）ウィジェットおよび車、（ｖ）ウィジェットおよびホイール、（ｖｉ）車およびホイール、または（ｖｉｉ）ウィジェット、車およびホイールのいずれかを意味する。こうした語句が複数のものを修飾するとき、「のうちの少なくとも一つ」という語句は、複数のもののうちの「各々一つ」を意味するものではない。
【００５１】
「一つの」、「二つの」などの数値的な用語は、何かの量（例えば、一つのウィジェット、二つのウィジェット）を示すための基数として使用されるとき、その数値的な用語によって示される量を意味するが、少なくともその数値的な用語によって示される量を意味するものではない。例えば、「一つのウィジェット」という語句は「少なくとも一つのウィジェット」を意味するものではなく、したがって、「一つのウィジェット」という語句は、例えば、二つのウィジェットをカバーするものではない。
【００５２】
「に基づく」という語句は、別途明示的に特定されない限り「のみに基づく」を意味するものではない。言い換えれば、「に基づく」という語句は、「のみに基づく」および「に少なくとも基づく」の両方を説明する。「に少なくとも基づく」という語句は、「に少なくとも部分的に基づく」という語句と均等である。
【００５３】
「代表する」という用語、および類するものは、別途明示的に特定されない限り、排他的ではない。例えば、「表す」という用語は、別途明示的に特定されない限り、「のみを表す」を意味するものではない。言い換えれば、「データはクレジットカード番号を表す」という語句は、「データはクレジットカード番号のみを表す」、および「データはクレジットカード番号を表し、かつ他のものも現わす」の両方も説明する。
【００５４】
本明細書で使用される場合、「それによって（ｗｈｅｒｅｂｙ）」という用語は、以前に明示的に列挙された何かの、意図される結果、目的、または結末のみを表す節または他の単語のセットの前にのみ使用される。それ故に、特許請求の範囲において「ｗｈｅｒｅｂｙ」という用語が使用される場合、その用語が修飾される節またはその他の単語は、請求項の特定のさらなる限定を確立するものではなく、または別の方法で請求項の意味または範囲を制限するものではない。
【００５５】
「例えば（ｅ．ｇ．）」、「例えば（ｅｘ）」および類する用語は、「例えば」を意味し、それ故にそれが説明する用語または語句を制限するものではない。例えば、「コンピュータがインターネットを介してデータ（例えば、命令、データ構造）を送信する」という文において、「例えば」という用語は、「命令」は、コンピュータがインターネット上で送信し得る「データ」の例であることを説明し、また「データ構造」もコンピュータがインターネット上で送信し得る「データ」の例であることを説明する。しかしながら、「命令」および「データ構造」は単に「データ」の例にすぎず、また「命令」および「データ構造」以外の他のものを、「データ」とすることができる。
【００５６】
「それぞれ」および類似の用語は、個別に取得されることを意味する。それ故に、二つ以上の物がそれぞれに特徴を有する場合、各々のこうした物は、その独自の特徴を有し、これらの特徴は、互いに異なってもよいが、そうである必要はない。例えば、「２台の機械の各々がそれぞれの機能を有する」という語句は、第一のこうした機械が機能を有し、かつ第二のこうした機械もまた機能を有することを意味する。第一の機械の機能は、第二の機械の機能と同じであってもよく、または同じでなくてもよい。
【００５７】
用語「すなわち（ｉ．ｅ．）」および類する用語は、「すなわち」を意味し、それ故にそれが説明する用語または語句を制限する。例えば、「コンピュータはインターネットを介してデータ（すなわち、命令）を送信する」という文において、「すなわち」という用語は、コンピュータがインターネットを介して送信する「命令」が「データ」であることを説明する。
【００５８】
用語「屋上ユニット」またはＲＴＵは、広い意味を有し、かつ様々な屋根突出部および貫通部（例えば、機械装置のための縁、壁、屋根ジャック、通気口、雨押さえ、手すり壁、排水管、および排水口など）を包含することが意図されている。より一層の明確のために、この用語には縁、機械設備のための縁、ＨＶＡＣの縁、壁、屋根吸気および排気ファンの縁、屋根の吸気および排気通気口の縁、グースネック屋根ジャック、雨押さえ、通気口、手すり壁、排水管、排水口、屋根壁、フランジ付き吸気および排気通気口、屋根手すり壁、屋根コントロールジョイント、屋根排水管、屋根排水口、屋根配管煙突雨押さえ、屋根ガス煙突雨押さえ、屋根電気煙突雨押さえ、屋根ジャック雨押さえ、屋根の天窓の縁、屋根ガムまたはピッチパン、および屋根レトロボックス雨押さえが含まれる。
【００５９】
「屋根フィールド区域」という用語は、ＲＴＵから離れた排水用の谷樋を含む任意の屋根セクションである。
【００６０】
好ましい実施形態のこの説明は、本発明の記述された説明全体の一部である添付図面に関連して読まれるべきである。説明では、対応する参照番号は、全体を通して、同じまたは機能的に類似した要素を識別するために使用される。「水平」、「垂直」、「上」、「下」、「上部」、および「下部」だけでなく、その派生語（例えば、「水平に」、「下向きに」、「上向きに」等）などの相対的用語は、その後説明される、又は考察中の図面に示されるような向きを指すように解釈されるべきである。これらの相対的な用語は、説明の便宜上使用されており、特に記載されていない限り、特定の向きを必要とすることを意図していない。「内向き」対「外向き」、「長軸方向」対「横断方向」およびこれに類するものを含む用語は、適宜に互いに対して、または伸長の軸、もしくは軸もしくは回転の中心軸に対して解釈されるべきである。「接続される」および「相互接続される」などの、取り付け、結合、およびこれに類するものに関する用語は、別途明示的に説明されない限り、介在する構造だけでなく、可動もしくは剛直の両方の取り付けまたは関係を通して、直接的または間接的のいずれかで構造が互いに固定または取り付けられる関係を指す。「動作可能に接続される」という用語は、関連する構造が、その関係のせいで意図されるように動作することを可能にする、こうした取り付け、結合、または接続である。
【００６１】
任意の所与の数値的な範囲は、その範囲内の整数および分数を含むものとする。例えば、範囲「１〜１０」は、具体的には、１〜１０の整数（例えば、１、２、３、４、．．．９）、および非整数（例えば、１．１、１．２、．．．１．９）を含むものと解釈されるべきである。
【００６２】
二つ以上の用語または語句が同義語である（例えば、用語または語句が同義語であるという明示的な記述のため）場合、一つのこうした用語／語句のインスタンスは、別のこうした用語／語句のインスタンスが異なる意味を有しなければならないことを意味するものではない。例えば、記述が、「含む」の意味を「含むがこれに限定されない」と同義であると宣言する場合、「含むがこれに限定されない」という語句の単なる使用は、「含む」という用語が「含むがこれに限定されない」以外のものを意味することを意味するものではない。
【００６３】
発明の名称（本出願の最初のページの冒頭に記載）も、また要約（本出願の末尾に記載）のいずれも、本開示の発明（複数可）の範囲として、いかなるやり方でも限定するものとしては取られない。要約は、米国特許法の１．７２（ｂ）項の下で１５０語以下の要約が必要とされるという理由だけで、本出願に含まれる。本出願で提供される発明の名称およびセクションの見出しは、便宜上のみのためのものであり、本開示をいかなるやり方でも限定するものとして取られるべきではない。
【００６４】
多数の実施形態が本出願に記載されており、また例示のみを目的として提示されている。説明される実施形態は、いかなる意味においても限定するものではなく、また限定することを意図するものではない。本開示の発明（複数可）は、本開示から容易に明らかであるように、多数の実施形態へと幅広く適用可能である。当業者であれば、開示された発明（複数可）が、構造的および論理的修正などの、様々な修正および改変を用いて実施されてもよいことを認識するであろう。開示された発明（複数可）の特定の特徴は、一つ以上の特定の実施形態および／または図面を参照して説明される場合があるが、当然のことながら、こうした特徴は、別途明示的に特定されない限り、それらが説明されるものを参照する一つ以上の特定の実施形態または図面での使用に限定されない。
【００６５】
本出願で説明される方法工程または製品要素のいかなる実施形態も、本明細書においてそのように明示的に記載されているか、または特許請求の範囲に明示的に列挙されている場合を除き、本明細書で特許請求される本発明を構成するもの、または本明細書で特許請求される発明に対して必須であるもの、または本明細書で特許請求される同一の広がりを持つものではない。
【００６６】
ＩＩ概要
本発明は、二部品型水分検出および表示部分を含む、屋根内の水分の漏れを検出し、かつこうした漏れに関する視覚的警報を提供するための装置を提供する。本発明の第一の主要な態様は、これらの二つの部分がどのように動作するか、およびそれらが互いにどのように通信するかである。トリガー部分は、下記でさらに説明するように、使用時に屋根膜の下方に配置されるように適合され、かつウィッキング部分およびウィッキングセンサーと機能的に係合して作用する。インジケータ部分は、使用時に、屋根膜の上方に配置されるように適合され、かつトリガー部分から非電子信号を受信し、そしてその後、この信号の直接的な結果として漏れの視覚的通知を生成することができる。トリガー部分とインジケータ部分との間に物理的接触はない。電子通信またはワイヤはなく、また電子部品なども存在しない。これらの二つの部分が機能するための、屋根膜の穴開けまたは侵害はない。トリガー部分とインジケータ部分との間の通信は、水分に応答してウィッキング部分の少なくとも一つの材料の変化によって影響を受ける、磁界結合を含むがこれらに限定されない、様々な非電子手段に基づく。これを達成することができる様々なやり方を、本明細書にさらに説明する。
【００６７】
本発明の第二の主要な態様は、どのようにウィッキング部分における水分の影響をもたらした材料の変化が、インジケータ部分に通知して、警報を発生するために、トリガー部分に「信号を送る」かである。一つのやり方では、これは、その磁界（第一の磁界）をインジケータ部分の磁界（第二の磁界）に結合するトリガー部分によって達成される。これを達成することができる様々な他のやり方を、本明細書にさらに説明する。
【００６８】
一つの好ましい態様では、本発明の装置を使用するこの一連の事象は、以下の通りである。
□ウィッキングセンサーでの水分検出、およびウィッキング部分への水分の吸い出し
□ウィッキング部分の水分由来の材料の変化（少なくとも一部）
□材料の変化によってトリガーされる磁界結合の係合および移動
□磁界結合に応答するインジケータ部分内での信号の発生
【００６９】
本発明の装置および方法は特有であり、屋根の水分検出の状況での使用については以前には認識されていない。例えば、グリッドを形成するＸワイヤおよびＹワイヤを使用して、屋根膜の上のセンサーと下の導電層との間の導電率を測定する、または電流を測定する、電子的に動作する数多くの水分検出システムがあるが、これらのシステムは、より複雑で、構成要素の不具合が発生しやすく、かつ／または動作するために屋根膜の貫通部を必要とする。
【００７０】
水分由来のウィッキング部分（少なくとも一部）での材料の変化
本発明の装置は、ウィッキングセンサー（センサーゾーン内で、水分に対して浸透性であり、かつ所望の区域内またはその周りから水分を捕捉し、かつ捕捉した水分をセンサー区域から離れるように吸い出すために、その場で向けることができる）と、ウィッキング部分（水分の移動に対して非浸透性であり、検出しない）と、ウィッキング部分での材料の変化に応答して、ウィッキング部分から非電子信号を受信することを可能にする非電子トリガー部分と、を備える。本発明の範囲内で、材料の変化は、幅広い意味を有し、かつ水分検出の結果としてのウィッキング部分への任意の変化を包含することが意図されており、これはトリガー部分への信号の伝達を非電子的に容易にする。好ましい形態では、材料の変化は、トリガーハウジングに対して近位の、またはトリガーハウジング内のウィッキング部分の少なくとも一つの部分の、ウィッキングセンサーと接合されるウィッキング部分の残りの部分からの分離を引き起こし、これにより、ウィッキング部分、トリガーハウジングの近位、またはトリガーハウジング内の少なくとも一つの部分は、水分が検出されるトリガーハウジングの他の構成要素への信号の発信に参加する。
【００７１】
本開示全体を通して完全に理解されるように、最も便利かつ簡単に、この材料の変化は、例えば、分離、破損、部品の溶解、伸張、収縮、膨張、上昇、下降、垂直もしくは水平もしくは斜めの移動、引き、押し、またはそれらの任意の組み合わせなどの、ウィッキング部分の何らかのタイプの物理的混乱を伴う。
【００７２】
ウィッキング部分の材料の変化からトリガー部分への信号
一態様では、ウィッキング部分での材料の変化は、トリガーハウジング内での一つ以上の磁石の移動を可能にし、こうした移動は、インジケータハウジング内の磁界結合によって検出され、これは警報信号をトリガーする。
【００７３】
別の態様では、ウィッキング部分での材料の変化は、トリガーハウジング内の一つ以上の磁石の移動を可能にし、こうした移動は、インジケータハウジング内の一つ以上の磁石の移動をトリガーし、これは、警報信号をトリガーする。別の態様では、ウィッキング部分内の材料の変化は、トリガーハウジング内の一つ以上の磁石の移動を可能にし、こうした移動は、インジケータハウジング（または強磁性エマルションを有する磁気観察フィルム）内の強磁性流体（磁性表面力が流体重量および表面張力の安定化効果を超える時に、磁界の影響下で移動し、そして磁界線に沿ってスパイクを生成する流体）の移動または画像の変化をトリガーし、これは警報信号をトリガーする。例えば、一態様では、トリガーハウジングの上向きに面する磁石（別名、トレイ結合磁石）がフィルムの下で移動され、そしてトレイ結合磁石の磁界線がフィルム表面と直交するとき、磁気観察フィルムはより暗くなり、また結合磁石が離れるように移動されたとき、明るくなる。トレイ結合磁石がフィルムの下に配置されると、磁石は、明るい輪郭を有して暗く示される。トレイ結合磁石の移動経路の上方で、濡れと乾燥とが分離されている場合、これは基部トリガー状態の表示として役割を果たすことになる。別の態様では、ウィッキング部分での材料の変化は、トリガーハウジング内での一つ以上の磁石の移動を可能にし、こうした移動は、インジケータハウジング内の強磁性金属によって検出され、これは警報信号をトリガーする。別の態様では、ウィッキング部分での材料の変化は、トリガーハウジング内の強磁性金属による信号の発信を可能にし、こうした信号の発信は、インジケータハウジング内の一つ以上の磁石によって検出され、これは警報信号をトリガーする。
【００７４】
「移動」という用語は、可能な限り最も広い意味を有すると考えられ、また水平および垂直の移動、転がり、摺動、回転、傾斜、トグル、反転、上昇もしくは下降、旋回、または前述の任意の組み合わせを含むことが理解される。インジケータ部分における信号警報は、上述のように、または例えば、以下によってトリガーされる場合があることが、さらに理解される。
□トリガーハウジングからの磁界の存在下で磁界を示す磁気紙（またはフィルム）、またはその他の表示材料。
□上部インジケータ部分における一つ以上の磁気ポップアップピンまたは磁石（暗い、異なる色、または不透明な液体（すなわち、冬期に凍結するのを防ぐ）を置き換える可能性がある）
□インジケータ部分内の上部シリンダーチューブで、反応性である
（またはトリガーハウジングからの磁界の影響下で上昇する、または引き下げられる
□インジケータ部分内の一つ以上の手段で、トリガーハウジングからの磁界の影響に基づいて、形状、位置、向き、色調、光の反射、または色を視覚的に変化することができる
【００７５】
これらの前述の「磁界通信」構成要素は、トリガー部分およびインジケータ部分内の形状、サイズ、向き、または配置に限定されないことが理解される。
【００７６】
一つの好ましい態様では、ウィッキング部分の端部、その最も遠位のウィッキングセンサー（ウィッキング端部）との接合部は、トリガーハウジングのチャネル内での配置のためにトリガーエンドピースに取り外し可能に取り付け可能である（ハウジングおよびチャネルは下記でより詳細に説明する）。この構成では、トリガーエンドピースの目的は、実質的に変化したウィッキング部分からトリガー部分への信号のための導管として作用することである。どのようにウィッキング部分が実質的に変化したかに関わらず、トリガー部分のチャネル内に常駐するトリガーエンドピースは、トリガー部分とインジケータ部分との間の磁界結合に影響を与えるために、それ自体の移動によって、または一つ以上の他のトリガーハウジング構成要素の移動を可能にすることによって、「通知」を提供する役割を果たす。
【００７７】
一つの好ましい態様では、トリガーエンドピースは、ｉ）ウィッキング端部への取り外し可能な取り付けのための取り付け端部、ｉｉ）上向きに面した磁石（インジケータ部分に向かって面する）のためのホルダ、およびｉｉｉ）前向きに面する磁石のためのホルダ（トリガーハウジングのチャネルの端部壁上に配置される固定された磁石に面する）を備える。このようにして、ウィッキング材料の移動（材料の変化によって発生する）は、ｉ）固定された磁石に向かう前向きに面する磁石の移動、ｉｉ）ｉ）での移動の後、インジケータ部分内の少なくとも一つの磁石によって上向きに面する磁石を検出させ（その磁界によって）、これにより検出および警報を発生する磁石の移動を引き起こす。トリガーエンドピース、そのウィッキング部分端部との接合、およびトリガーハウジングのチャネル内の配置は、（図５および図５Ｂ）で最も良好に示される。また、トリガーエンドピース上の前向きに面する磁石と、トリガーハウジングのチャネルの端部壁上に配置された固定された磁石との間の重要な空間も図示され、こうした空間は、それらの間のいかなる早期の磁気接続も阻止するのに十分なチャネル長さであるが、ウィッキング部分で材料の変化があると、信頼性のある磁気的な引力／接続を可能にし、それがウィッキングセンサーから分離することを可能にする（例えば、トリガーエンドピースと係合するウィッキング部分の第一の部分が、水分に応答して、ウィッキングセンサーと係合するウィッキング部分の第二の部分から分離すると）。
【００７８】
一態様では、以下にさらに説明するように、ウィッキング部分における材料の変化のための一つの好ましい手段は、水分に誘起されたウィッキング部分上の継ぎ目の破損を介したものであり、これにより、ウィッキング部分は、水分への露出に伴い二つに分かれる。この継ぎ目は、水溶性接着剤を介してウィッキングセンサーの二つの部分を接合することによって、ウィッキング部分の長さに沿って製造中または設置中に予め作り出されていてもよい。このようにして、トリガーエンドピースと係合しているウィッキング部分の第一の部分は、ウィッキングセンサーと係合しているウィッキング部分の第二の部分から分離する。分離は、使用時に、トリガーハウジングのチャネルの内側であることが好ましい。分離により、トリガーエンドピース上の前向きに面する磁石が、チャネルハウジングの端部壁上の固定された磁石に向かって磁気的な引力によって移動することを可能にする。ウィッキング部分における事前水分検出および事前の材料の変化、これら二つの磁石は、トリガーエンドピース上の前向きに面する磁石が、「無傷」のウィッキング部分との係合によって定位置に保持されているという事実により強制的に分離されている。
【００７９】
より一層の明確のために、上述のように、トリガーハウジングまたはインジケータハウジングのいずれかにおいて、磁界生成磁石のうちの一つ以上を強磁性金属で置き換えることは可能であるが、これは、すべての使用の状況において望ましい構成ではなく、例えば、性能を低下および阻害することになり、かつより厚い屋根システム（例えば、ＳＢＳ  ＭＢ膜システム）を通した信頼性を低下させる。両方とも垂直に向けられた磁界を有する、上側の上部インジケータ構成要素の下向きに面する移動可能な磁石、または下側の場合の移動可能な磁石は、磁石のうちの一つを強磁性金属で置き換えることが可能である。この強磁性金属は、磁界によって強く引き付けられることになるが、これは磁気ではないことになり、またはいかなる実質的な磁界も有しない。これらの金属の組み合わせが使用されてもよい。一般的な強磁性金属としては、例えば、鉄、ニッケル、コバルト、ガドリニウム、ジスプロシウム、および鉄またはニッケルなどの特定の強磁性金属も含有する鋼などの合金が挙げられる。例えば、トリガーハウジングを有するトリガーエンドピース内の上向きに面する磁石（複数可）は、移動をもたらすために、インジケータハウジング内に存在する強磁性金属構成要素（複数可）を引っ張ることが可能である。または、インジケータハウジング内の垂直に向いている磁界移動可能な磁石（複数可）を、移動をもたらすために、トリガーハウジング内に存在する強磁性金属に引き付けることが可能である。トリガー端部磁石および固定端部磁石はまた、一つの構成要素、強磁性金属構成要素（複数可）も有してもよい、
【００８０】
上記の屋根膜インジケータ部分（別名、インジケータハウジング）は、再び再利用することができるが、屋根膜センサーおよびトリガー部分の下部の下方は、将来の漏れ検出のために使用することができるように、トリガー部分への新しい乾燥したウィッキングセンサーへの交換または復元が必要とされる（使用の簡単のために、ウィッキングカートリッジによって交換することが可能である）。
【００８１】
（インジケータハウジングが、基部トリガーハウジングの外側の屋根膜の外側に永久的に接着および／または配置されている（接着を有しないが、例えば、定位置に保持するための位置付け磁石を使用する）本装置では、電池の使用または再充電が必要とされず、電子機器の故障がない。屋根検査中に、屋根検査員またはメンテナンス人員は、ＲＴＵの近くの屋根膜の下、または屋根フィールド区域内のＲＴＵから離れた任意の場所、特に水分が蓄積する傾向のある排水用の谷樋のところに漏れがないかを即座に確認するために、追加的なツールを用いないで、目だけを使用することができる。その場合、是正措置を取ることができ、または人員は屋根のレポートを調製するための写真を撮ることができる。このように、本システムは、低コストで、強力で、異なる屋根構造に適合可能であり、かつ既存の屋根システムに比較的簡単に設置することができる。
【００８２】
任意選択的に、上方の屋根膜インジケータ部分に小さいステッカーを貼って、この技術が初心者の屋根検査員にどのように働くかを示すことができるが、学習は直感的で単純である。あるいは、インジケータ部分を、屋根検査員が運び、屋根上で基部センサー部分外側にある膜の真上に配置することが可能である。この場合、可視性の高い膜（センサーインジケータの形状およびサイズのパッド）または類似のサイズのコーティングが、以前に設置され、かつ屋根膜の基部センサー部分の真上に付着されることになる。屋根検査員は、このインジケータの可視性の高い膜を見て、その上にインジケータを置き、膜の下の水分を試験する。
【００８３】
屋根センサー対：
全体を通して説明されるように、本発明は、二構成要素のセンサー対、（ｉ）本明細書ではしばしば、かつ互換的に、「トリガー部分」または「トリガーハウジング」と称される、屋根膜の下方の水分感知およびトリガー「基部ユニット」、（ｉｉ）および本明細書ではしばしば、かつ互換的に、「インジケータ部分」または「インジケータハウジング」と称される、屋根膜の上方のセンサーの磁界感知および結合インジケータである「上部ユニット」を提供する。基部ユニット水分検出およびトリガーと、上部ユニット磁界結合およびインジケータとのセンサー対は、屋根のフィールド区域（屋根突出部、縁、手すり壁、および壁から離れている）、ならびに屋上ユニット（ＲＴＵ）および屋根上のその他の構造物における水分の漏れの検出に使用するためのものである。しかしながら、水分検出およびトリガーユニットは、壁もしくは手すり壁を剥がした中の屋根膜の後ろ側、またはドライウォール、ウッドサイディング、アルミニウムサイディング、もしくは他の非強磁性材料の後ろに配置することも可能である。
【００８４】
一つの好ましい形態では、その基部ユニットは、ａ）使用時に、センサー対の基部ユニットの周りの近傍の水分に対して浸透性である、ウィッキングセンサーと、ｂ）水分に対して非浸透性であり、かつ水分を吸い出し、かつウィッキング部分に沿って離れるように、より遠位のウィッキングセンサーから離れるように移動することを可能にするために、ウィッキングセンサーに長手方向に接合された、ウィッキング部分と、ｃ）ウィッキング部分の端部（ウィッキングセンサーに対して遠位）に取り外し可能に取り付けられた移動可能なトリガーエンドピースであって、移動可能なトリガーエンドピースが二つの磁石を含む、トリガーエンドピースと、を備える。一つは、使用のために設定されたとき、トリガーエンドピースおよび取り付けられたウィッキング部分がおかれたトリガーハウジングのチャネルの端部壁上の別個の固定された磁石から離れて小さい距離で配置される、前に面する磁石である。ウィッキング部分に対する材料の変化が分離を引き起こした後（上記で考察したように）、
前に面する磁石とチャネルの端部壁上のとの間の磁界は、トリガーエンドピースの端部を固定された磁石に向かって引く。トリガーエンドピース内の第二の磁石は、上向きに面し、その磁界結合は屋根膜に向けられ、かつ上方のインジケータ部分／ハウジング磁石は、その下向きに面する磁石（下向きに面する磁石であるが、同じ時期的な向き）を有する。上向きに面する磁石は、上向きに面する磁界を有し、その機能は、屋根膜を貫通し、そして屋根膜上方の上部磁界結合センサーおよびインジケータ部分に影響を与え、その移動可能な磁石は、膜の下方の水分の視覚的警報を提供するインジケータ部分として機能する。
【００８５】
センサー対の発明の中心は、基部ユニットおよび上部ユニット、ならびにこれらの水分検出の伝達時の非電子（例えば、磁界に基づく）通信である。システムの動作を理解するために、基部ユニットの水分検出およびトリガーが三つの「ゾーン」を備えると考えることは有益であり、第一に、センサーゾーン、水分に対して浸透性であり、かつその場で所望の区域内またはその周りから水分を捕捉し、捕捉された水分をセンサー区域から離れるように吸い出すように向けることが可能である。このゾーン内のウィッキングセンサーは、一部の実施形態では、屋根構造の任意の場所に配置されるように屈曲可能であるか、または別の方法で十分に可撓性である。しかしながら、この捕捉ゾーンにおけるウィッキングセンサーの少なくとも一部が浸透性であることが必要とされる。好ましい態様では、一つタイプの使用において、これは、屋根膜の下で断熱材もしくはカバーボードオーバーレイメント上、または防湿材および屋根デッキまで下りた任意の場所の下に位置付けられる。第二の「ゾーン」は、水分の移動および吸い出しのためであり、さらなる水分の検出と捕捉のためではない。このゾーンでもまた、ウィッキング部分は、屋根構造内に配置するために屈曲可能または別の方法で十分に可撓性である。ウィッキング部分は、所望の捕捉ゾーンではないいずれかの場所からの誤った水分の読み取りを回避する目的で、このように設計される。
【００８６】
これは、例えば、断熱材の層と関連付けられてもよいゾーンであるが、これは、ウィッキング水分センサーによって検出され、ピックアップされ、捕捉されるべき標的水分ではない。第二のゾーンは、トリガーハウジング内のトリガー移動を可能にする、第三のそして最終的なゾーンへの単なる水分移動導管であり、一実施形態では、トリガーエンドピース上の磁石の移動は、トリガーハウジング自体の上の別個の固定された磁石に向かって引かれる。トリガーエンドピースが移動している間、トリガーエンドピースの上面上の上向きに面する磁石（本明細書では、互換的に、本明細書では「トレイ磁石」または「上向きに面する磁石」と称されてもよい）も同様に移動され、それによって、この上向きに面する磁石の上向きに面する磁界が屋根膜を通過し、そして上方の上部磁界結合センサーおよびインジケータハウジングの中へと入り、インジケータハウジング内の移動可能な磁石に影響を与え、かつ制御する。上方の上部ユニット磁石は、インジケータハウジング内のチャンバースロット内に収容され、水分の漏れの視覚的な表示を提供する移動可能な磁石のスロットに沿った移動を可能にする。
【００８７】
屋根膜を通した穴開けなしに、この程度の使用の柔軟性および適応性で、様々な屋根構造および他の突出部の近く、または屋根膜のフィールド区域への任意の場所において機能する水分検出および表示は、他にないと考えられる。基部ユニット上で、ウィッキングセンサーを、所望の水分捕捉ゾーン内で、所望のとおり長く、または短く、または柔軟に配置することができる。ウィッキング部分は、ウィッキングセンサーと一体的に機能し、また構造物の周りで曲げ、向け、かつ屈曲するのに十分に可撓性とすることができ、水分を基部トリガー部分に運搬し、ウィッキング部分に対する「材料の変化」が発生し、かつ検出されると、これはトリガーエンドピース磁石の移動およびその磁界の移動をトリガーする。上部磁界結合およびインジケータユニット上で、下部基部ユニットからの磁界の移動は、上部ユニット内の移動可能な磁石内での移動を誘導し、これはユーザーに対して見ることができる視覚的警告を提供する。それ故に、本発明の、センサーゾーンから警報ゾーンへの移動、基部ウィッキングセンサーおよびトリガーから上の上部磁界結合およびインジケータ部分への移動は、新規で、特有かつ非常に有用な屋根水分センサーを提供する。
【００８８】
いずれか一つの特定の屋根システムおよび構造を用いた係合に限定されることを意図しないが、膜の下方で、かつ屋根デッキレベルにおいて配置された、基部ユニットウィッキングセンサーを有する、例示的な図６から見ることができる。ウィッキングセンサーの構成、向き、および配置は、各商業用、住宅用、または産業用の使用に対して必要に応じて変更することができる。
【００８９】
基部トリガー部分は、その中に少なくとも一つのチャネルを有するハウジング／チャンバーを備えることが好ましい（しかし、複数のチャネルは、各ウィッキング部分が別個のウィッキングセンサーと係合されて、複数のトリガーエンドピース／ウィッキング部分結合の配置のために含まれてもよいことが理解される）。そのようなチャネル内で、かつ前述のように、トリガーエンドピースは、合致するウィッキング部分に取り外し可能に取り付けられる。一態様では、トリガーエンドピースに取り付けられたウィッキング部分は、ウィッキング部分（トリガーエンドピースに取り付けられた）の部分が、ウィッキングセンサーから移動する水分への露出によって分離されるように、水分に関連して溶解する接着剤を用いて（トリガーエンドピースへの取り付け点において、もしくはその近くで、または好ましくはその上で）接着される。チャネル内で、かつトリガーエンドピースに隣接するウィッキング部分が濡れ、そして基部トリガーユニット内へと水分を吸い込むと、ウィッキング部分の二つの部分の間の接着が分離し、トリガーエンドピースが、チャネル壁の端部における別個の固定された磁石に向かって、その取り付けられた前に面する磁石を介して引かれる。上向きに面するトリガーエンドピース磁石はまた、ウィッキング材料の接着が破壊され、かつウィッキング部分が分離するときにも移動する。この上向きに面するトリガーエンドピース磁石の磁界は、次いでトリガーハウジングの上部リッドを通し、屋根膜を通し、かつ上部インジケータハウジングの基部プレートを通して貫通し、上部磁界結合センサーユニットの移動可能な磁石に影響を与え、かつ移動させる。上部ユニットの移動可能な磁石は、それ自体のスロットまたはチャンバー内（インジケータハウジング内の）に閉じ込められ、かつこのスロットまたはチャンバー内で前後にしか移動できないように位置付けられる。上部ユニットの移動可能な磁石は、磁石の各半分に対して異なる色の塗料でコーティングすることができ、これは、スロットの一方の端に位置するとき、一方の色のみを示し、そしてスロットまたはチャンバーのもう一方の端に位置するとき、もう一方の色を示す。この構成では、スロットは、磁石がいずれかの方向に磁石の長さの１／２を移動することのみを可能にするサイズ、形状、および構成である。チャンバーまたはスロットの中間部は、カバー（またはバー）によって覆い隠され、それによって、一つの方向に摺動したときに反対側の端部の色を隠し、そして反対側の方向に摺動したときにもう一方の端部の色を隠す。この構成では、チャンバーまたはスロットは、実質的に三つのセクションに分割され、中間部の１／３は、内容物を下方に隠す。チャンバーまたはスロットの各端部における１／３部分のみが見えて、その中に露出されることになる色が示される。
【００９０】
使用方法：
本発明は、屋根エンベロープ内の水分の漏れを検出するための方法を含み、屋根エンベロープは、屋根膜を備え、これは二部品センサー対ユニットを、屋根膜の下方に、一つの基部ウィッキングセンサーおよびトリガーユニットを、そして屋根膜の上方に一つの上部磁界結合センサーおよびインジケータユニットを設置することを含む。屋根膜の下方の基部ユニットは、ウィッキング水分検出センサー（複数可）セクションから成り、これは膜の下方、断熱カバーボードの下方、断熱材の層（複数可）の下方の屋根構造内に配置され、屋根の防湿材もしくは凝結遅延剤の上に置かれ、または石膏の上に置かれ、または木材、金属、もしくはコンクリートのデッキの上に置かれる。基部ユニットは、ａ）露出したウィッキング部分の周りの近傍における水分に対して浸透性であるウィッキングセンサーと、ｂ）ウィッキング部分に沿って、露出されたウィッキングセンサーから離れるように水分の吸い出しおよび水分の移動を可能にするために、露出されたウィッキングセンサーに長手方向でまたは別の方法で接合された、非浸透性水分ウィッキング部分と、ｃ）トリガーエンドピースを備え、長手方向でウィッキング部分へと接合されたトリガー部分と、を備え、ウィッキング部分に対する材料の変化の発生に伴い、トリガーエンドピースが、少なくとも二つの磁界結合をもたらす。好ましい一実施形態では、上述のように、材料の変化は、何らかのタイプのウィッキング部分の分離または破損を含み、これにより、ウィッキング部分の一つの部分は、トリガーハウジングのチャネル内で自由にトリガーエンドピースと「ともに移動」する。
【００９１】
好ましい一実施形態では、上述のように、トリガーエンドピースは、異なる機能／目的を有し、かつ両方ともトリガーエンドピースの移動とともに移動する二つの磁石を備える。トリガーハウジングは、各チャネル内に、こうしたチャネルの端部点において少なくとも一つの固定された磁石を備える。一つの磁石、トリガーエンドピース上の「前向きの磁石」は、チャネルの端部における固定された磁石へと磁力によって引き付けられる。しかしながら、設定および動作を使用して、水分が検出されるまで、前向きの磁石とチャネル端上の固定された磁石との間に空間が残る。この空間は、「移動」するようにトリガーエンドピースを適切に解放し、これによって水分検出の信号を送ることになるウィッキング部分内での材料の変化がない限り、トリガーエンドピースがチャネルの端部に引き込まれないことと確保するために十分な長さである。言い換えれば、トリガーエンドピースは、最初にウィッキングセンサーによって、次にウィッキング部分によって水分が検出されると、その前向きに面する磁石の引力の力の下で、チャネル内の固定磁石へと、自由に移動することができるのみである。通常の動作では、前向きに面する磁石および固定された磁石は、ウィッキング部分の乾燥した完全な状態によって分離されて維持される。トリガーエンドピースの移動における摩擦を最小化するために（起動に伴う）、例えば、オイル、グラファイト、もしくはシリコン潤滑剤、テフロン（登録商標）または他の非粘着性材料を用いてチャネルの「スロット」を潤滑することが望ましい場合がある。通常の動作では、水分が検出されると、本明細書に説明される装置および方法を使用する。前向きに面する磁石および固定された磁石は、ウィッキング部分への材料の変化に応答して（そのスロット／チャネル内を移動するトリガーエンドピースを介して）互いに引かれる（しばしば急速に）。スロット／チャネル内の摩擦低減状態を維持することにより、装置の正確な動作が確保される。
【００９２】
トリガー端部部分上の第二の磁石（上向きに面する磁石）は、屋根膜の上方のインジケータハウジングを有する、磁界の「通信装置」である。固定された磁石に対するその前向きに面する磁石の引力下でのトリガーエンドピースの移動に伴い、上向きに面する磁石も移動し、それによって、上部磁界結合センサーおよびインジケータユニットの移動可能な磁石（複数可）に影響を与える（かつ移動する）ことが可能になる。上部磁界結合センサーおよび表示ユニットは、上向きに面する磁石の磁界によって影響を受け、かつ水平に移動される下向きに面する磁石を保持するチャンバーまたはスロットを備える。トリガーハウジング内に二つ以上のウィッキングセンサー／ウィッキング部分／トリガーエンドピース／チャネルがある場合、上部磁界結合センサーおよびインジケータユニットには、二つ以上の対応するチャンバーまたはスロットおよび移動可能な磁石があることになる。上方の上部ユニットの移動可能な磁石は、インジケータ部分として役割を果たす。水分がウィッキング部分を介して屋根膜ウィッキングセンサーの下方からウィッキングセンサーから吸い出され、トリガーハウジング内のトリガーエンドピースの移動を引き起こし、かつそれ故に、上向きに面する磁石の移動を引き起こす材料の変化をトリガーし、これが上方の上部ユニットの移動可能な磁石に影響を与え、かつこれを移動させたことを示す視覚的警報のためのインジケータ部分を定期的に見ることは、屋根システムへの水分の漏れの表示を提供する。
【００９３】
二部品屋根センサーユニット対の発明の主要な態様は、ユーザーが屋根システムの漏れ状態を判定するために、屋根膜を通した穴開けが必要とされないことである。上記で考察されたように、二部品屋根センサーユニットは、様々な屋根システムにおいて使用することができる。
【００９４】
最も早期段階での軽微な屋根の劣化を検出、発見、および修正できないことは、主に屋根の断熱材の劣化に起因する、早期の屋根の不具合の主たる原因と考えられている。これは特に、低勾配の屋根または平坦な屋根に適用される屋根材料に当てはまる。コストのかかる屋根の問題は、しばしば、設計上の欠陥または屋根システムの不適切な適用の結果である。適切に設計および適用された場合でさえ、すべての屋根材料は、主に材料の種類および露出の条件によって決定される速度で、天候への露出から劣化する。好ましい態様では、本発明の方法は、漏れおよび濡れた断熱材を屋根エンベロープ内で検出および位置特定するために使用され、屋根エンベロープは、屋根膜を含み、これは断熱材パッケージ（そしておそらくは断熱材の上の断熱材オーバーレイメント）の上に配置され、次いで屋根デッキの上に配置される。屋根システムはまた、断熱材パッケージの下の防湿材も含む場合がある。屋根エンベロープはまた、少なくとも屋根膜を貫通する、少なくとも一つの屋根構造／突出部／ＲＴＵも含む場合がある。ＲＴＵはまた、屋根区域との境界となる侵入壁だけでなく、屋根を通して延びる手すり壁またはコントロールジョイントも含む場合がある。屋根がその接合部で屋根エンベロープを耐水にするために、屋根がそれに対して同じ面になっているあらゆる壁が、侵入壁である。「侵入」は、防水または屋根膜に侵入またはこれを妨害する、これらの用語のいずれかに含まれる構造のいずれかを指す。侵入は、通常多層屋根および防水膜アセンブリに含まれるすべての屋根膜に侵入するが、一部の侵入は、一つのみ、またはすべてよりも少ない層に侵入する場合があることが理解される。
【００９５】
本発明の方法内では、基部トリガーユニットのウィッキングセンサー（複数可）およびウィッキング部分（複数可）は、所望により、屋根材料の層のうちのいずれかに、またはそれらを通して配置されてもよいが、屋根膜を通した穴開けを必要としない。屋根膜の穴開け自体が追加的な漏れの潜在的リスクを有するため、屋根膜の穴開けを必要とせずに屋根のフィールド区域内の任意の場所に二部品センサーユニットを配置することは、明確な利点である。本発明の有用性の一実施例は、新しい屋根システムの設置中に、基部水分感知ユニットおよびトリガーユニットが屋根排水用の谷樋に設置される場合である。雨が降ると、排水用の谷樋（および屋根排水溜まり）は水で満たされる傾向がある。排水用の谷樋におけるあらゆる屋根の膜の継ぎ目または貫通部は将来の漏れに対する大きなリスクを伴うが、二部品の穴開けの無い屋根センサーでは、追加的な漏れのリスクを有することなく、排水ラインの谷樋（および屋根排水溜まり）の漏れ状態を監視することができる。この意味では、新しい穴開けの無い発明では、膜における追加的な穴開けを回避するために、屋根センサーを屋根突出部だけに設置することに限定されない。
【００９６】
モバイルアプリケーション：
一態様では、本発明の方法は、ポータブルマイクロプロセシングデバイス上でのシリアル番号入力、ポータブルマイクロプロセシングデバイス上でのＱＲコード画像キャプチャ、ポータブルマイクロプロセシングデバイス上でのバーコードキャプチャ、またはポータブルマイクロプロセシングデバイス上での他の画像または特徴のキャプチャのうちの少なくとも一つによって、水分インジケータ上部ユニットを識別する工程をさらに含む。ポータブルマイクロプロセシングデバイスは、水分インジケータ上部ユニット、その場で、その特徴、ＧＰＳ位置、建物の詳細、視覚的警報記録、屋根の漏れの履歴、過去の修理、主要な建物および修理人員の連絡先の詳細（以下、「連絡先」）のうちの一つ以上に関連する情報の収集、保存、処理、および伝達のために、アプリケーションを有して（オフラインで使用するために）提供されるか、またはアプリケーションへの直接オンラインアクセスを有する。次いで、ユーザーは、レポートを視認し、そして必要に応じて任意の検出された水分の漏れに関して適宜に行動してもよい。
【００９７】
ポータブルマイクロプロセシングデバイスは、手持ち式デバイス、マイクロプロセッサベースまたはプログラム可能な家庭用電気製品、ミニコンピュータ、携帯スマートフォン、パーソナルデジタルアシスタント、およびタブレットからなる群から選択される。
【００９８】
好ましい形態では、通信がトリガーされる一つの手段は、ポータブルマイクロプロセシングデバイスによって読み取り可能な視覚的合図、例えば、ポータブルマイクロプロセシングデバイス内のスキャナおよびカメラのいずれかによって読み取り可能な視覚的合図を介して行われる。視覚認識ソフトウェアによって処理され得る情報の任意の視覚的表現が使用されてもよい。視覚的な合図の一例は、ＱＲコードである。ここでは、ＱＲコードを説明の目的で使用するが、ＱＲコード自体が最適な技術である必要はない。視覚認識ソフトウェアによって簡単に使用される情報の任意の視覚的表現が使用されてもよい。代替案は、要素に露出したＱＲコードの損傷によって発生する場合があるエラーを回避するために、単純にユーザーが、ポータブルマイクロプロセシングデバイスへと、シリアル番号を手動で入力する。
【００９９】
本発明の範囲内において、自分のポータブルマイクロプロセシングデバイスにインストールされたアプリケーションを有するユーザーが、上部インジケータユニット、その場で、その特徴、ＧＰＳ位置、建物の詳細、視覚的な警報記録、屋根の漏れの履歴、過去の修理、主要な建物および修理人員の連絡先の詳細のうちの一つ以上に関連する情報およびデータを収集、保存、処理、および伝達することを可能にする、ソフトウェアによってエンコードされたモバイルアプリケーションが提供される。アプリケーションは、一般的に利用可能な視覚的認識装置と全く同じ様式で、情報をアプリケーションが表示およびデコードすることを許容することになる視覚認識構成要素を含んでもよい。モバイルアプリケーションは、漏れ、正確な場所、タイムスタンプ活動の即時報告を可能にし、かつ一つ以上のセンサー上部インジケータユニットに関連する比較データを、任意の所望の時間枠にわたって表示することを可能にすることになる。
【０１００】
アプリケーションは、様々なモバイルソフトウェア配信プラットフォームからユーザー／顧客によってダウンロードされてもよく、または例えば、ウェブブラウザ内に「アプリケーションのような」体験を提供するために、サーバー側またはクライアント側処理（例えば、ＪａｖａＳｃｒｉｐｔ）を使用するＨＴＴＰを介して配信されるウェブアプリケーションであってもよい。アプリは無料の場合もあり、または有料の場合もある。アプリで提供される継続的サービスは、有料の場合がある。モバイルデバイスアプリケーションをインストールするために、典型的には、ユーザーはデバイスにアイコンをドラッグアンドドロップするか、またはインストールに同意するためにボタンをクリックする。また、これをアンインストールすることも簡単で、典型的には、デバイスから離れるようにアイコンを削除するか、またはドラッグすることを伴う。ユーザーがモバイルデバイスアプリケーションをアンインストールすると、多くの場合、別個に保存されないため、そのアプリケーションに関連するすべてのデータも失われる場合がある。単一のデバイスにインストールすることができるアプリケーションの数は、デバイスのメモリによる。
【０１０１】
本出願を支持するために、本開示のさらに別の態様が、一つ以上のセンサー上部インジケータユニットに関連する内容を処理するように適合可能かつ構成可能な、メモリ、プロセッサ、通信装置、ディスプレイ、およびアプリケーションメンテナンスモジュールを含むネットワーク装置を目的とする。
【０１０２】
本開示のさらに別の態様は、センサーに関するデータをモバイルデバイスから受信することと、モバイルアプリケーションがデータをサーバーに通信して、サーバーにデータおよび任意の関連付けられたリクエストならびにデバイスのタイプを識別させることと、データおよびモバイルデバイスのタイプの識別に応答して、応答情報をモバイルデバイスインターフェース上のディスプレイのために好適なフォーマットでモバイルデバイスへと送達することと、を含む方法に対するコンピュータ可読命令をその上に明白に保存するための非一時的なコンピュータ可読記憶媒体を目的とする。
【０１０３】
モバイルアプリケーションに関して、本明細書に説明されるシステムおよび方法は、動作のための様々なコンピュータシステム、ネットワークおよび／またはデジタル装置に依存する。当業者によって理解されるように、コンピューティングシステムおよびウェブベースのクロスプラットフォームは、コンピュータ可読命令を明白に保存するための非一時的コンピュータ可読記憶媒体を含む。ウェブベースのクロスプラットフォームスマートフォンアプリケーションの作成および管理システムがどのように動作するかを完全に理解するためには、好適なコンピューティングシステムの理解は有用である。ウェブベースのクロスプラットフォームスマートフォンアプリケーションの作成および管理システム、ならびに本明細書に開示の方法は、好適なコンピューティングシステムを介した適用の結果として可能になる。
【０１０４】
一態様では、媒体および／またはネットワークポートから命令を読み取るように適合され、かつ構成される論理装置として理解され得るコンピュータシステム（またはデジタルデバイス）は、サーバーに接続可能であり、また固定媒体を有することができる。コンピュータシステムはまた、インターネットまたはイントラネットに接続することもできる。システムは、中央処理装置（ＣＰＵ）、ディスクドライブ、任意選択の入力装置（キーボードおよび／またはマウスなど）および任意選択のモニターを含む。データ通信は、例えば、ローカルまたはリモートの場所におけるサーバーへの通信媒体を通して達成することができる。通信媒体としては、データの送信および／または受信の任意の好適な手段を含むことができる。例えば、通信媒体は、ネットワーク接続、無線接続、またはインターネット接続とすることができる。
【０１０５】
本開示に関連するデータは、こうしたネットワークまたは接続を介して送信することができることが想定される。コンピュータシステムは、参加者および／または参加者によって使用されるデバイスと通信するように適合することができる。コンピュータシステムは、インターネットを介して他のコンピュータと通信するように、またはサーバーを介してコンピュータと通信するように適合可能である。各コンピューティングデバイス（モバイルデバイスを含む）は、オペレーティングシステム（ＯＳ）を含み、これはソフトウェアプログラムと、デバイス上で実行されるデータとから構成されるソフトウェアであり、デバイスのハードウェアリソースを管理し、かつ様々なアプリケーションソフトウェアの実行のための共通のサービスを提供する。オペレーティングシステムは、アプリケーションプログラムをデバイス上で実行することを可能にする。
【０１０６】
当業者によって理解されるように、コンピュータ可読媒体は、コンピュータデータを保存し、そのデータは、コンピュータによって実行可能なコンピュータプログラムコードを、機械可読形態で含むことができる。例として、コンピュータ可読媒体は、データの有形または固定記憶装置のためのコンピュータ可読記憶媒体、またはコード含有信号の一過性の解釈のための通信媒体を含んでもよいが、これらに限定されない。本明細書で使用される場合、コンピュータ可読記憶媒体とは、（信号とは対照的に）物理的または有形の記憶媒体を指し、コンピュータ可読命令、データ構造、プログラムモジュール、または他のデータなどの情報の有形の記憶媒体のための任意の方法または技術で実装される揮発性および不揮発性、取り外し可能および取り外し不可能の記憶媒体を含むが、これらに限定されない。コンピュータ可読記憶媒体としては、ＲＡＭ、ＲＯＭ、ＥＰＲＯＭ、ＥＥＰＲＯＭ、フラッシュメモリまたは他のソリッドステートメモリ技術、ＣＤ−ＲＯＭ、ＤＶＤ、または他の光学記憶装置、磁気カセット、磁気テープ、磁気ディスク記憶装置または他の磁気記憶装置、または所望の情報もしくはデータもしくは命令を明白に記憶するために使用することができ、かつコンピュータもしくはプロセッサによってアクセスすることができる任意の他の物理的または物質媒体が挙げられるが、これらに限定されない。ユーザーは、アプリ作成者によって作り出され、デジタルコンテンツ項目を表示するためにユーザーのモバイルデバイスにダウンロードされるアプリを起動し、かつ典型的にはインターネットであるネットワークを介してフロントエンドサーバーに接続することができるが、ＬＡＮ、ＭＡＮ、ＷＡＮ、モバイル、有線もしくは無線ネットワーク、プライベートネットワーク、または仮想プライベートネットワークの任意の組み合わせを含むがこれらに限定されない任意のネットワークとすることもできる。
【０１０７】
動作の単純な好ましい態様では、トリガーした二部品センサーユニットを検出するユーザーは、モバイルデバイス（その上にアプリケーションへのアクセスを有する）を使用して、上述した任意の手段で、上部インジケータ構成要素を識別する。シリアル番号の写真を撮った場合、写真は、他の特定化する詳細を有するか否かにかかわらず、センサー写真として保存されてもよい。モバイルデバイスは、トリガーされた二部品センサーユニットのＧＰＳを識別する場合がある。これは、他の特定化する詳細を有するか否かにかかわらず、センサーのＧＰＳ位置として保存されてもよい。ユーザーは、シリアル番号を手動で入力するようアプリケーションによって促される場合がある。ユーザーは、屋根の漏れのロケールを取るように、または地域のコンテキスト写真を撮るようにアプリケーションによって促される場合がある。これは、他の特定化する詳細を有するか否かにかかわらず、概要写真として保存されてもよい。ユーザーは、建物の場所の詳細などを入力するようアプリケーションによって促される場合がある。これは、他の特定化する詳細を有するか否かにかかわらず、建物の詳細として保存されてもよい。ユーザーは、例えば、建物管理者、所有者または修理会社に関連する人員の詳細を入力するように、アプリケーションによって促される場合がある。これは、他の特定化する詳細を有するか否かにかかわらず、人員詳細として保存されてもよい。アプリケーションは、すべての入力の日時を自動的に記録することになる。アプリケーションは、ユーザーのために報告を調製してもよく、また以下を含むがこれらに限定されない、様々な他のアクションをトリガーしてもよい。
□ＧＰＳの位置を含み、任意選択的に衛星写真での場所を有し、かつ任意選択的に衛星写真上に特定の建物および特定のセンサー場所に対するピンポイントの矢印／ガイドを有する、特定の二部品センサーに関する完全な報告を調製する、
□特定の二部品センサーによって検出された過去および現在の漏れを含む、特定の二部品センサーに関する完全な報告を調製する。
□特定の二部品のセンサーに関する報告を人員および第三者へ電子メールで送信すること、またはアプリケーションおよび／または協会のウェブサイトおよび／またはソーシャルメディアプラットフォームを介して人員および第三者へプッシュ通知を提供することに関して促す。
【０１０８】
ユーザーは、任意の所与の二部品センサーインジケータ構成要素について、第一の出来事／第一の使用におけるさらなる情報を、またアプリケーションのその後の使用についてより少ない情報を入力する必要がある場合がある。
【０１０９】
発明のシステムおよび配置／設置：
本発明は、屋根エンベロープが屋根膜を備える屋根エンベロープ内の漏れを検出および位置特定するためのシステムを提供する。システムは、一般的に、本明細書に完全に説明されるように、二部品水分検出およびインジケータ構成要素、ならびに一部のタイプの屋根システムを備える。上述のように、屋根システムは、トリガーハウジングおよびインジケータハウジングを保持するための構造を提供し、上部磁界結合センサーおよびインジケータハウジングをウィッキングセンサー／ウィッキング部分およびトリガーハウジングの外側に配置された状態で、センサー対を、可能性のある漏れに対して最も脆弱な区域に設置することを可能にする。
【０１１０】
屋根システムでは、ＲＴＵは、基部フランジ、通気口、壁面、手すり壁、縁、ハッチ、ガムパン（ｇｕｍｐａｎ）、排水管、もしくは排水口、または他のＲＴＵを含むことが可能である。これらはすべて、屋根の張り替えのときに二部品センサー対を設置することができる、潜在的な漏れの源である。
【０１１１】
トリガーハウジングおよびトリガーエンドピースは、関連付けられたウィッキング部分／ウィッキングセンサー取り付け部とともに、典型的には新しい屋根を設置するときに設置され、トリガーハウジングは、断熱材もしくは断熱カバーボードの上に配置されるのは好ましくなく、または好ましくは、断熱材もしくは断熱カバーボードの上面の下方に埋め込むことができる。最適な動作のためには、断熱材または断熱カバーボードの中へと埋め込まれる場合、トリガーハウジングの上面は、完全な磁気的結合を可能にするために、いかなる隙間もなく屋根膜の下側に完全に接触するべきである。このように、より厚いカバーボードまたは断熱材では、トリガーハウジングを持ち上げるために、スペーサーシムをトリガーハウジング（その底部の下）の下に追加して持ち上げてもよい。これらのスペーサーシムは、屋根膜もしくは断熱材、または他の好適な材料から作製することが可能である。あるいは、かつ好ましくは、トリガーハウジング高さの厚さは、任意の断熱カバーボードの厚さと合致するようにより厚く製造することが可能である。例えば、断熱カバーボードは、典型的には１／２インチの厚さであり、したがって、トリガーハウジングは１／２インチの厚さで製造されることになる。次いで、単純なことであろうが、断熱カバーボードからトリガーハウジングの形状を切り出し、そしてそれを定位置に挿入し、かつデッキレベルまでウィッキング部分用の穴を切断する。屋根センサートリガー基部ハウジングは、すべての単一の合板の屋根膜の下に設置することができる。基部センサーリッドの上部の外側にアスファルトカバーボードまたは類似の材料の保護があるので、基部センサーハウジングは、ＳＢＳ改質ビチューメン（ＭＢ）トーチ適用屋根、またはホットアスファルト適用屋根システム（砂利バラストなし）の下（ここにセンサーを位置付ける）に配置することができる。
【０１１２】
トリガーハウジングを有するデュアル試験チャンバー／スロット（またはそれ以上）は、ウィッキング部分の外側部上の封止された熱収縮包装された筐体により、断熱材の最上層より下方の水分試験を可能にする。ウィッキングセンサーの端部のみが、水分を感知し、かつ非浸透性ウィッキング部分を介して、トリガーハウジングへと吸い出すように露出されることになる。例えば、一つのウィッキングセンサーを、断熱材もしくは断熱カバーボードの上、または断熱材の層の間の任意の場所に配置することができる。別のウィッキングセンサーを、断熱材もしくは断熱カバーボードの上、または断熱材の層の間の任意の場所に配置することもできる。ウィッキングセンサーの露出した端部とトリガーハウジングとの間により長いシールドされたウィッキング部分を用いて、それをさらに断熱材まで供給して、石膏、防湿材、または屋根デッキ上に取り付けることができる。
【０１１３】
設置中に、ウィッキングセンサーおよびウィッキング部分は、所望により、膜の下方で断熱材上、カバーボード上、カバーボードの下方、断熱材のより低いレベルもしくは防湿材の上方、石膏ボード上、または鋼材、木材、もしくはコンクリートデッキ上に向けられる。ウィッキング部分の端部（ウィッキングセンサーに対する遠位）は、トリガーハウジングの端部壁（または床）の開口内に供給され、そしてその後トリガーエンドピースに接続される。こうした接続を行うためには様々な合理的なやり方があり、そしてその一つが本明細書の図に示されている。鍵となるのは、この接続が、トリガーエンドピースの前にある前に面する磁石を、チャネルの端部壁にある固定された磁石へのその自然な引力から分離したままに保つ（それらの間に空間を維持する）ために、この接続が「十分にしっかりしている」必要があるという程度まで取り付け方法が重要であることである。
【０１１４】
ウィッキングセンサーがトリガーハウジングとともに設置される場合、屋根業者は、好ましくは、基部トリガーハウジングを覆うようにフィールド膜を巻き出す。フィールド膜が屋根膜の下のトリガーハウジング位置を通るとき、ユーザーは、クレヨン、鉛筆またはスプレーペンキ、または他の方法で屋根の概略的な場所に印をつけることができる。その後、上部インジケータハウジングは、屋根膜の印をつけた区域の上に設置される。屋根膜表面の印が見逃されたか、または忘れられた場合、ユーザーは、上部インジケータ部分を用いて、または金属検出器を用いて、またはおそらくは、単にトリガーハウジング内の磁石に引き付けられることになる強磁性金属の小片を用いて、カバーされたトリガーハウジングの概略的な場所を、単純かつ簡単に見つけることができる。
【０１１５】
これらの工程はガイドラインであり、トリガーハウジング、ウィッキングセンサー、ウィッキング部分を設置するために異なる設置設計および方法を使用することが可能であることが理解され、また本発明は、本書で説明された方法によって限定されない。
【０１１６】
上部インジケータハウジングを、設置されたトリガーハウジングと合致させることが所望される場合には、「水分検出磁界結合」は動作可能になるように、二つの部品の直接的かつ正確な整列が必要とされるが、インジケータ部分のわずかなシフトを可能にするように設計することができる。トリガーハウジングおよびインジケータハウジングを位置的な関係に維持し得る（二つの部品を物理的に一緒に結合する膜に穴開けするねじまたは結束具を使用しない）一つの簡単な手段は、磁気結合によるものである。本明細書では、これは「磁気的な接続位置結合」と称され、そしてこれは上述した「水分起動する磁界結合」とは別のものである。好ましい形態では、トリガーハウジングおよびインジケータハウジングの各々はその外縁に、好ましくは四つの磁石のセット（例えば、各ハウジングの四隅の各々に一つずつ）を備え、これによりユーザーがインジケータハウジングをトリガーハウジングの近くまたは上方に持ってきたときに、インジケータハウジングの向きおよび配置の誘導が生じ、そしてインジケータハウジングの磁界結合磁石とトリガーハウジングの磁界結合磁石との間に磁気的な接続結合が作られる。トリガーハウジングおよびインジケータハウジング内の磁石の自然な物理的引力および反発は、インジケータハウジングが屋根に引き付けられ、かつインジケータハウジングとトリガーハウジングとが両方とも同じ方向を向いているとき、屋根上で正しい向きで定位置に置かれる（磁気的な結合によって本質的に定位置に「係止される」）ことのみを可能にする。
【０１１７】
この磁気的な接続結合は、反対側の極性の磁石の間の引きと、同じ極性の磁石を用いた反発力とによって達成され、そして設置業者に触覚的および視覚的な配置フィードバックを提供するように、抵抗力と引く力を提供して、インジケータ構成要素の設置方法を示す。例として、トリガーハウジング上で、チャネル／スロットの右側の磁石は、磁石間の距離に起因する少量の引力によってのみであっても、それらが互いに引き付けられるように、反対向きの極性を有して上向きに向けられる。トリガーハウジング上で、チャネル／スロットの左側の磁石も、磁石間の距離に起因する少量の引力によってのみであっても、それらが互いに引き付けられるように、同じように反対向きの極性を有して上向きに向けられる。
【０１１８】
したがって、チャネルスロットと垂直なトリガーハウジングの両側は、磁石間の距離による少量の反発力であっても、上を向いた同じ極性を有し、互いに反発する。
【０１１９】
インジケータハウジング上で、チャネル／スロットの右側の磁石は、磁石間の距離に起因する少量の引力によってのみであっても、それらが互いに引き付けられるように、反対向きの極性を有して上向きに向けられる。インジケータハウジング上で、チャネル／スロットの左側の磁石も、磁石間の距離に起因する少量の引力によってのみであっても、それらが互いに引き付けられるように、同じように反対向きの極性を有して上向きに向けられる。したがって、チャネルスロットと垂直なインジケータハウジングの両側は、磁石間の距離による少量の反発力であっても、上を向いた同じ極性を有し、互いに反発する。さらに、トリガーハウジング磁石とインジケータハウジング磁石との両方は、トリガーハウジングおよびインジケータハウジングが互いに引き付けられるように設置される。
【０１２０】
インジケータハウジングが１８０度後ろ向きに向けられる場合、トリガーハウジングの隅にある磁石と上部磁界結合センサーおよびインジケータユニット構成要素ハウジングにある磁石との間の同じ極性は、上部磁界結合センサーおよびインジケータハウジングの配置を阻む。例えば、Ｎ極はＮ極と反発し、Ｓ極はＳ極と反発する。正しい向きと異なる向きは、磁石を引くまたは押す、および回転する傾向があり、したがって上部磁界結合センサーおよびインジケータハウジングは、本質的に定位置に「係止」される正しい向きになる。インジケータをわずかに摺動させることは、基部およびインジケータ内の磁石によって力を加えさせることになり、これはインジケータを「係止された」位置に戻す傾向になることになる。「係止」された位置にある場合、上部インジケータユニットは簡単には回転しようとせず、または位置がシフトしようとしない。触覚的なフィードバックは、目を閉じたままプロセスを実行することができる学習体験を提供する。
【０１２１】
これは、磁石を別のより低い位置にある移動不可能な磁石の近くに落下させるときに起こる、上側の磁石が正しい磁気的な向きと位置へと引かれるのと類似した物理現象である。この例では、落下している磁石は、付着する際にいずれかの向きに１８０度向けられうる場合がある。しかしながら、本発明の場合には、トリガーハウジングおよびインジケータハウジングは、反対の極性の磁石の固定された位置の対を有する。したがって、インジケータハウジングおよびトリガーハウジングは、一つの向きにのみ向けることができ、かつ本質的に互いに対して定位置に「係止」することができる。反対の極性の磁石が互いに引き付けられるとき。
【０１２２】
また、壁表面の後ろに、その側面上に垂直に配向されたウィッキングセンサーハウジングを配置することも望ましい場合がある。
【０１２３】
このようにして、インジケータハウジングは、壁表面の上に設置されてもよく、また接着剤、剥離して接着する膜、または壁に取り付けるための何らかの他の方法で、接着されてもよい。インジケータが屋根検査員に運ばれる場合、高視認性膜を基部センサーハウジング位置の上に位置付けることができ、そして基部センサーハウジングの上の定位置に係止することができる。
【０１２４】
水分が検出されると、再使用のために、トリガーハウジングおよびインジケータハウジング内の構成要素をリセットすることが望ましい場合がある。インジケータハウジングに関しては、基部センサーハウジングが乾燥へとリセットされる場合、いかなる措置も必要とされない。これは単純かつ簡単に行える。トリガーハウジングに関しては、ウィッキングセンサー／ウィッキング部分は交換され、新しいウィッキングセンサー／ウィッキング部分がトリガーエンドピースに取り付けられることが必要である。次いで、トリガーエンドピースは、本明細書に完全に記載されるようにリセットされる（空間２ａを確保する）。基部センサーハウジングは、乾燥したウィッキングセンサーおよびトリガートレイアセンブリが収容されている、この目的のために交換可能なカートリッジを有することが可能である。
【０１２５】
一部の実施形態では、上部インジケータハウジングを屋根表面へと永久的に設置することが好ましい場合がある。これを達成するには、様々な非限定的なやり方がある。以下の例が示すように、これを行うことが望ましい場合がある。
【０１２６】
Ａ．ＥＰＤＭ、ＴＰＯ、およびＰＶＣ膜（または他の単一の層膜）などの単一の層膜屋根の上面にインジケータハウジングを接着する：
方法＃１：
−屋根表面を下地処理する。
−屋根上とインジケータハウジングの底部に屋根ボンディング接着剤を使用する
−屋根ラップシーラントを使用して、インジケータハウジングの周囲の周りをコーキングする（任意）。
方法＃２：
−屋根表面を下地処理する。
−屋根の位置に印をつける（一つの問題は、一度配置されるとハウジングの移動が難しい）。これは、最初に、上部インジケータハウジングを屋根上に正しい位置および向きで配置し、その後それが置かれている間に、マーキング用のクレヨン、鉛筆またはペンで、屋根の四つの側面に印をつけることによって達成されてもよい。次いで、両面ＥＰＤＭシームテープのリリースシートを引っ張って外し、そしてインジケータハウジングを屋根上に置くことになる。
−追加的な保護として、屋根ラップシーラントを使用して、インジケータハウジングの周囲の周りをコーキングする（任意）。
【０１２７】
Ｂ．ＳＢＳ  ＭＢ屋根上に、上部インジケータハウジングを膜に続いて設置してもよい。
−ＳＢＳ  ＭＢ屋根の粒状の膜表面上に粒を埋め込む。
−屋根表面を下地処理する。
−屋根の位置に印をつける（一つの問題は、一度配置されるとハウジングの移動が難しい）。これは、最初に、上部インジケータ構成要素を屋根上に正しい位置および向きで配置し、その後それが置かれている間に、マーキング用のクレヨン、鉛筆またはペンで、屋根の四つの側面に印をつけることによって達成されてもよい。次いで、両面ＥＰＤＭシームテープのリリースシートを引っ張って外し、そして上部インジケータハウジングを屋根上に置くことになる。
−薄い弾性屋根マスティックを上部インジケータ構成要素の下側に塗布し、そして上部インジケータハウジングを屋根上に正しい向きおよび位置で配置する。
−屋根ラップシーラントを使用して、上部インジケータハウジングの周囲の周りをコーキングする（任意）。
【０１２８】
Ｃ：ＥＰＤＭ、ＴＰＯ、またはＰＶＣ膜内にセンサー基部を含む：
−上部磁界結合センサーおよびインジケータハウジングを、屋根膜システムに応じて、接着剤、熱溶接、シームテープまたはその他の方法を用いて、主フィールド膜に接着されることになる単一層の膜の小片を有して作製することが可能である。
【０１２９】
磁石の選好：
本発明の範囲では、様々な磁石が使用されてもよく、また異なる目的のためには、異なるサイズおよび形状、異なる配置および向きを有する。確実で、位置的に正確な整列および保持のためのトリガーハウジングおよびインジケータハウジングの各々の中の磁気的な接続結合磁石、ならびに水分検出磁界結合磁石に関して、様々なタイプの磁石が好適であり、そしてテスラ磁界数定格を有する古いタイプの磁石、フェライト、セラミック、アルニコが含まれるが、これらに限定されない。テスラ磁界数定格がより高い希土類タイプ：ネオジムもしくはサマリウム−コバルト、またはそれらの任意の組み合わせが好ましい。
【０１３０】
磁石の数、配置、および向きに関して、当業者は、本発明においてシステムのアーキテクチャ、ハウジングおよび方法に関する全ての詳細を考慮する場合、特定の使用ごとに、必要に応じて小さい調整および変更を行うことができるであろうと考えられる。確実に、位置的に正確な整列および定位置に保持するためのトリガーハウジングおよびインジケータハウジングの各々の中の磁気的な接続結合磁石に関して、任意の合理的な数の磁石を使用してもよい。各ハウジング内に四個（ハウジングの隅）が好ましい。トリガーハウジングとインジケータハウジングとの間に一つの向きの設置の向きのみを可能にするために、ハウジングの一方の端または一方の側に反対向きの極性がある限り、他の数が使用されてもよい。
【０１３１】
水分検出磁界結合磁石に関して、トリガーハウジング内の任意の構成または磁石の数は、最終結果が、ｉ）がウィッキング部分内の材料の変化に応答し、かつｉｉ）何らかのやり方で、インジケータハウジングとの磁界結合を起動する、磁石構成である場合、完全に本発明の範囲内である。
【０１３２】
本発明の装置の好ましい態様では、そして下記の図に示すように、確実に、位置的に正確な整列および定位置に保持するために、トリガーハウジングおよびインジケータハウジングの各々の中に、磁気的な接続結合磁石があり、これらは位置的磁石または対になっている磁石またはトリガー／インジケータハウジング上の永久円筒形磁石と称され、インジケータハウジングについては１９、２０、２１および２２として示され、またトリガー基部ハウジングについては６、７、８および９として示されている。これらは、例えば、正方形、長方形、円筒形または他の形状の磁石などの任意の形状とすることができるが、円筒状であることが最も好ましい。
【０１３３】
非電子インジケータハウジングは、各隅に一つずつ四つの円筒状位置決め磁石を備え、二つは前部円筒状インジケータハウジング位置決め磁石であり、そして二つは後部円筒状インジケータハウジング位置決め磁石であり、またトリガーハウジングも、各隅に一つずつ四つの円筒状位置決め磁石も備え、二つは、前部円筒状トリガーハウジング位置決め磁石であり、そして二つは、後部円筒状トリガーハウジング位置決め磁石であり、かつ後部円筒状トリガーハウジング位置的磁石は、インジケータハウジングが、トリガーハウジングに対して一つの向きでのみ位置決めすることができることを確実にするために、前部円筒状インジケータハウジング位置決め磁石に対して反対の極性の向きであることが好ましい。これは、装置全体の設定および整列を、簡単で、かつ間違えようのないものにする。
【０１３４】
本発明の装置の好ましい態様では、そして下記の図に示すように、インジケータハウジングは、その後漏れの通知を生成するために、トリガーハウジングからトリガー信号を受信すると、トリガーしていない位置（水分の検出なし）からトリガーした位置（水分検出）へと移動可能なインジケータ磁石２５を備え、また二つの前部円筒状インジケータハウジング位置決め磁石は、インジケータ磁石と同じ極性および向きのものであり、そのため、水分検出およびトリガーするまで、二つの前部円筒状インジケータハウジング位置決め磁石によってインジケータ磁石は定位置に保持される（トリガー位置へと物理的に引くことができない）。
【０１３５】
本発明の装置の好ましい態様では、そして下記の図に示すように、トリガーエンドピース３４は、前に面する磁石３５と上向きに面する磁石３６とを備える。前に面する磁石は、トリガーハウジング内のチャネルの一番端に配置された固定された磁石２に引き付けられるような極性である。トリガー事象（水分検出）まで、前に面する磁石３５と固定された磁石２との間には空間がある。この空間およびその維持は、水分がないこと、および装置／警報が起動されていないことを示す。これらの磁石は、例えば、正方形、長方形、円筒形または他の形状のなどの任意の形状とすることができるが、長方形状であることが最も好ましい。
【０１３６】
本発明の装置の好ましい態様では、そして下記の図に示すように、インジケータハウジング１８は、本明細書にさらに説明されるように、トリガーしていない位置からトリガーした位置（警報の起動）へと移動する一つ以上のインジケータ磁石２５を備える。これらの磁石は、例えば、正方形、長方形、円筒形または他の形状のなどの任意の形状とすることができるが、長方形状であることが最も好ましい。
【０１３７】
より具体的には、インジケータハウジングがトリガーハウジングの上方の屋根上に配置されると、以下のことが発生する。インジケータハウジング上の前部／前向き位置磁石２０および２１は、インジケータ磁石２５と同じ磁石の極性および向きを有し、かつインジケータ磁石２５をトリガーしていない位置へと本質的に強制する。上向きに面する磁石３６からインジケータ磁石２５をトリガー位置へと前向きに引く力がない場合、インジケータ磁石２５は、位置磁石２０および２１で後部に保持されるので、トリガー位置へと物理的に引かれない。本発明の装置内のこの好ましい配置は、これを強制するための結合磁界を有しないでインジケータが自由に浮動して、ユーザーがセンサートリガー状態を誤って解釈するのではなく、偽陽性を防止する。これを達成するために、インジケータ磁石２５は、好ましくは、位置磁石２０および２１から好適な距離だけ後方に位置付けられる（しかし、これらの位置磁石が磁石を後方に強制的しないように、後方に離しすぎないようにする）。同じ極性の向きを有することは重要である。
【０１３８】
本発明の装置の好ましい態様では、そして下記の図に示すように、トリガーハウジングは、トリガーハウジングのチャネル内で使用時に設定可能である、トリガーエンドピース３４を備え、このトリガーエンドピースは、ウィッキングセンサーの遠位（「トリガー部分」）にあるウィッキング部分の一方の端部に取り外し可能に取り付け可能であり、トリガーエンドピースは、前に面する磁石３５と上向きに面するインジケータハウジング結合磁石３６とを備え、トリガーハウジングのチャネルは、前に面する磁石に引き付けられる固定された磁石２を備える。
【０１３９】
インジケータハウジングは、トリガーハウジングからトリガー信号を受信すると、その後漏れの通知を生成するために、トリガーしていない位置（水分の検出なし）からトリガーした位置（水分検出）へと移動可能なインジケータ磁石２５を備え、上向きに面するトリガーハウジング結合磁石は意図的に位置付けられ、インジケータ磁石から実質的に後方に引かれ、これによりインジケータハウジングがトリガーハウジングの真上に正しく位置付けられ、かつ建物膜に接着されているとき、インジケータ磁石と上向きに面するトリガーハウジング結合磁石との間の引きは相当であり、そして水分検出のトリガーがあるとき、前に面する磁石は、本質的に「パチンコ状態」、すなわち固定された磁石に向かって強制され、かつ上向きに面するトリガーハウジング結合磁石、インジケータ磁石を係合し、かつ摩擦を克服するのを助ける。
【０１４０】
より具体的には、上向きに面する（トレイ結合）磁石３６は意図的に位置付けられ、上部インジケータ磁石２５から実質的に後方に引かれ、これにより、インジケータハウジングが基部センサーハウジングの真上で正しく位置付けられ、かつ屋根表面に接着されるとき、上部インジケータ磁石と下部トレイ結合磁石との間の引きは相当であり、また基部がトリガーされる場合、トレイをセンサーチャネル端部磁石に向かってパチンコのように動かすのを助ける。同時に、トレイ結合磁石は、上部インジケータ磁石をつかんで保持し、そしてその表面の下方の摩擦を克服して、反対側のトリガーした端部に向かってそれをロケットのように動かすのを助ける。別の方法で、真上にあるトレイ磁石の互いに対する結合は、インジケータ磁石の下方の摩擦により、互いに引っ張るインジケータ磁石の移動を限定することが可能である。トレイ結合磁石はまた、基部センサーリッドの天井とのより大きい摩擦も有することになる。
【０１４１】
警報信号の発信
様々な異なる警報／通知が本発明の範囲内であるが、どのような機構が適用される場合でも、インジケータハウジングの上面またはその近くで肉眼で非常に可視的であることが好ましい。一部の事例では、警報は、実際のハウジング自体についての何らかの視覚的な合図となることになるが、これはインジケータハウジング内のインターネット対応通信モジュールを通して中継される場合、音声ベース（例えば、アラーム）、または信号ベースであってもよい。例えば、トリガー結合またはインジケータ磁石位置変化（漏れ状態を示す）は、Ｗｉ−Ｆｉ、インターネット対応通信モジュール、または他の無線周波数方法を通して伝達されてもよい。
【０１４２】
後者に関して、情報は、ホール効果センサー、赤外線トランスミッタおよびトランジスタ対、またはそのすべてが当業者に知られている他の感知技術を用いて、インジケータ磁石の位置的な変化を監視することによって捕捉されてもよい。例えば、電子構成要素アクセサリを有するＷｉｆｉ回路を含む動作を制御するために、ＰＩＣによって製造されたものなどのマイクロコントローラＩＣ回路を使用してもよい。あるいは、ＰＩＣマイクロコントローラおよびＷｉｆｉ回路、またはＷｉｆｉ回路を含むか、または他の無線通信技術を使用するマイクロコントローラと置き換えるために、カスタムＩＣ回路を提供してもよい。他のエネルギー供給手段の中でも、回路に給電するために太陽電池および電池を使用してしてもよい。
【０１４３】
一態様では、インジケータハウジングの磁石（複数可）の色は、異なる色に着色することができる。水分の漏れを示すためには黄色もしくはオレンジ色などの、または漏れがないことに対しては他の色など、磁石に対して代替的な色を使用することができる。乾燥または濡れを示す他の色も使用することができる。表示を支援するために、白色、銀色、金色、もしくは他の明るい、反射性塗料もしくは着色剤、材料、または物質を使用することができる。別の態様では、インジケータハウジングの上部カバーは、高い可視性を提供するために明るい色および／または蛍光色を有してもよい。別の態様では、インジケータハウジングは、紫外線放射を吸収した後、夜間に光ることを可能にする蛍光特性を有してもよい。別の態様では、インジケータハウジングは、人工光源または太陽光からの反射を可能にするために、何らかの付加された反射粒子または他の類似の物質を含んでもよい。別の態様では、インジケータハウジングは、反射性の「ネコの目」を備えて、それを高度に可視的にしてもよい。別の態様では、インジケータハウジングは、拡大レンズまたは目視検査を支援するために組み込まれたレンズを備えてもよい。別の態様では、インジケータハウジングは、印刷されたメッセージを有する警報を備えてもよく、例えば、インジケータ磁石は、観察者に警告する、その上に印刷されたメッセージを含んでもよい。例えば、メッセージは以下のように読まれることが可能である：「漏れ」。別の態様では、インジケータハウジングは、場所を目印にするための、屈曲可能なポール上の小さなフラグを追加的に含んでもよく、またはそれと関連付けられてもよい。
【０１４４】
別の実施形態では、トリガーハウジング内の磁石は、反対側の極性の向きの磁石に対して押し上げる磁界を有して構成されてもよく、その上向きの移動は、上方の表示装置上部が下部基部の上に正しく中心合わせされていることを示す。あるいは、同じ極性の向きを有する磁石は、上部リッドの上方に支持されている上部磁石を下げることが可能である。こうした移動は、例えば、不透明な液体を変位させて、露出色を塗装することが可能である上部磁石の上面を露出し得る。
【０１４５】
インジケータハウジングの選択肢：
１．代替的に、インジケータハウジングは、その下側に取り付けられたピール＆スティック接着剤を備えてもよい。
２．代替的に、インジケータハウジングは、その下側に塗布された接着剤を備えてもよい。
３．代替的に、インジケータハウジングは、コーキングの縁に塗布されたラップシーラントコーキングを用いて、その下側に塗布されたマスチック接着剤を備えてもよい。
【０１４６】
図面の詳細な説明：
図に目を移すと、同様の数字は装置上の同様の特徴を表す。
【０１４７】
図５を参照すると、基部リッド１７（図２に示す）を有しない、開放し、かつ露出した（カバーまたは図２に示すリッドを有しない）トリガーハウジング１の内部レイアウトが提供される。トリガーハウジング１は、異なるが計画された磁界の極性の向きを有するように位置付けられた、四つの永久的に位置付けられた円筒形磁石６、７、８および９を備える。トリガーハウジング１の磁石９が基部のくぼみ９Ａの中へと配置されていることが分かる。これら四つの永久的に位置付けられた円筒形磁石６、７、８、および９は、トリガーハウジングと直角に垂直に上に面して向けられた磁界を有する。トリガーハウジングはまた、トリガーエンドピース３４が嵌合することができ、かつその後その中で移動することができる（水分検出事象に応答して）、ハウジング内に形成された、一つのチャンバースロット（チャネルとも称される）１１も有する。
【０１４８】
永久的に位置付けられた「固定された」磁石２は、チャネル／チャンバースロット１１の端部に配置される。磁石２は、一つの固体磁石とすることができ、または互いに対する磁気引力を有して結合された二つ以上の磁石から成ることができることに留意されたい。この磁石２は、磁界がチャンバースロットの長方向の方向に面するように位置付けられ、かつ向きにされる。屋根システム内の異なる高さで水分を感知するために必要な場合、ハウジング内に追加的なスロットおよび磁石を提供することが可能である。各トリガーエンドピース３４は、二つの磁石それぞれ２と３５との間の分離距離２Ａを有して、チャンバースロット磁石２に面する永久的に取り付けられた前に面する磁石３５を有する。この分離距離２Ａは、最適な性能のために必要に応じて設定することができるが、典型的には１３ミリメートル離れることになる（しかしながら、特定の設計要件を用いて寸法を変えることができる）。この距離は、磁石が、磁石２および３５の強力な引力の磁界を用いてパチンとくっつく（ウィッキング部分内の水分の検出および材料の変化に伴い）ことを可能にすることによって、センサーの適切なトリガーを提供するが、それまでは離れていて、磁石２と３５との間で引き合う磁界は、磁石２に向かって移動可能なトリガーエンドピース３５を動かすには弱すぎることになる。図１を参照すると、ここでは、トリガーエンドピース３４は、その上面３７上で前に面する磁石３５の反対側の端部にウィッキングセクション１０Ａも有し、露出したウィッキング部分１０Ａは、永久接着剤および／または機械的取り付け（例えば、ステープルまたはリベット留め）または他の取り付け方法を用いて、トリガー端部３４上の上部平面３７に取り付けられる。
【０１４９】
図５Ｃを見ると、露出したウィッキング部分１０Ｂの前方端部は、水溶解接着剤１０Ｆで（好ましい一実施形態では）取り付けられている露出したウィッキング部分１０Ａの上へと重なっている。重なっているセクション１０Ｂは、必要に応じて設計することができるが、典型的にはおよそ５〜１０ミリメートルの長とすることができる。
【０１５０】
より具体的には、１０Ｂの重なりの量はまた、図５Ｆに１０Ｆとして拡大して示されているように、水溶解接着剤を溶解するための水分である、「材料の変化」が発生する時間の長さも制御し、かつこれに影響も与える。含まれているウィッキング部分１０Ｂ〜１０Ｅは、ウィッキング部分は、１０Ｅを有する一つの連続的なウィッキングピースであり、これは、ウィッキングセンサー（水分に対して浸透性）である。しかしながら、明確のために、これらの部分の各々は、それらの機能を説明するために別々にラベル付けされている。すなわち、１０Ｂ、１０Ｃ、１０Ｄおよび１０Ｅ。図１を参照すると、設定中に、露出されたウィッキング部分１０Ｅ（ウィッキング部分１０Ｄの周りに存在するような熱収縮管カバーなし）は、基部トリガーハウジング１の下側を介して、熱収縮管１０Ｄ（図５Ｇに拡大して示す）、取り外し可能なタームバー４３Ａと、トリガーエンドピース３４（図５Ｆを参照）上のウィッキングセクション１０Ｃ上に重なるウィッキングセクション１０Ｂに沿って延在する基部センサーハウジングセクション４３Ｂ（拡大図５Ｇも参照）との間の図５Ｇに示すウィッキングセクション１０Ａに沿ったポート／開口部４（図５Ｄに示す）を通して延びる。
【０１５１】
図１を参照すると、４２で一般的に示され、４４で一般的に示される水分ウィッキング部分、および４６で一般的に示されるトリガーシステム（トリガーエンドピース３４を備える）を備える、水分検出システムの一つの実施形態の図示が提供される。水分ウィッキング部分は、ウィッキングセンサー１０Ｅおよびウィッキング部分１０Ｂ〜１０Ｄを備える。下記により詳細に説明するように、１０Ｂ〜１０Ｄの部分は機能性に関して区別される。図５Ｃも参照すると、トリガーエンドピース３４は、そのウィッキング部分１０Ａをウィッキング部分１０Ｂに取り外し可能に取り付け、また前に面する磁石３５（これは、その場で、チャンバースロット磁石２に面する）および上向きに面する磁石３６の二つの磁石を備える。トリガーエンドピース３４上の部分１０Ａは、１０Ｂ〜１０Ｅに見られるのと同じウィッキング材料から成るが、分離し、かつ接着され、かつ／または機械的にトリガーエンドピース３４に取り付けられる。１０Ｆは、ウィッキング部分１０Ａに塗布された水溶解接着剤であり、圧縮が二つの部分に適用されるとき、水分を１０Ｅから１０Ｂまで沿って吸い出して接着剤１０Ｆを溶解するまでウィッキング部分１０Ａと１０Ｂとの間に結合を形成する。図１では、（図１Ａで最もよく示される）（除去可能な）タームバー４３Ａが、トリガー基部ハウジング１（その波状部の表面が４３Ｂを下回る）に機械的に取り付けられ、図５Ｂおよび拡大図５Ｇにも示されるように、タームバー４３Ａとともに、１０Ｃにおいて形成されている圧縮ラインまたは波状部を示す波状部を表す余分な線を有して、ウィッキング部分１０Ｃが示される。
【０１５２】
図１Ａを参照すると、図１のピースおよびセクションの裏面を示す。補強材料５７は、１０Ｅおよび１０Ｄにおいてウィッキング部分に接着され、熱収縮チューブは、補強材部分５７の１０Ｄ囲い込み部分および１０Ｄの内部のウィッキング部分で接着される。タームバー４３Ａは、その下側に示され、この後ろ側の図では、ウィッキング部分１０Ｃが横切って置かれる。３４Ａは、基部センサーハウジングのトリガー端部底面とチャネルフロアとの間の摩擦を低減するために、プラスチックが除去されたトリガーエンドピース３４のセクションである。
【０１５３】
図５Ｄを参照すると、は、トリガー基部ハウジング１の下側を示しており、ここでウィッキングセンサー１０Ｅはポート４を通してハウジングから出る。５３Ｃおよび５３Ｄは、トリガー基部ハウジング１の下側にある六角形の穴であり、ここで、タームバー締結ナット（図５Ｃを参照）５３Ａおよび５３Ｂ（図５Ｃでは５３Ｂが視界から隠されている）が挿入され、そして締結ねじ４１Ａおよび４１Ｂ（図５Ｄを参照）がナットに固定される。
【０１５４】
図５Ｂを見ると、リッド１７の縁１Ａは、トリガー基部ハウジング１と嵌合して、リッド１７とトリガー基部ハウジング１との間に封止を形成する。二つのピースは、この縁に沿って防水接着剤で封止することができる。図には示されていないが、リッド１７は、シリアル番号、ＱＲコード、バーコード、またはその他の「インジケータハウジング識別手段」を含んでもよい。
【０１５５】
図３は、インジケータハウジング１８のそれぞれの隅に永久的に配置された円筒形磁石１９、２０、２１、および２２を有する上部インジケータハウジング１８を示す。インジケータハウジング１８の円筒形磁石１９が、ハウジングのくぼみ１９Ａの中へと配置されていることが分かる。円筒形永久磁石１９、２０、２１、および２２は、それらの下向きの磁界極性がそれぞれの基部トリガーハウジング１の円筒形磁石６、７、８、および９に引き付けられるように取り付けられる。したがって、インジケータハウジング１８の円筒形磁石１９は、トリガーハウジング１の円筒形磁石６と対になって、かつ引き付けられる。上部インジケータハウジング１８の円筒形磁石２０は、トリガーハウジング１の円筒形磁石７と対になって、かつ引き付けられる。上部インジケータハウジング１８の円筒形磁石２１は、トリガーハウジング１の円筒形磁石８と対になって、かつ引き付けられる。インジケータハウジング１８の円筒形磁石２２は、トリガーハウジング１の円筒形磁石９と対になって、かつ引き付けられる。インジケータハウジング１８は、一つの陥凹したチャネルスロット２３を有する表面２７を有する。チャネルスロット２３は、二つの等しい磁石セクション２５Ａおよび２５Ｂに論理的に分割された、チャネルスロット内の長方形形状の磁石２５を有し、セクション２５Ａの上面は、赤色などの際立った色に塗装されてもよく、またもう一方のセクション２５Ｂは、緑色などの際立った色に塗装されてもよい。
【０１５６】
チャネルスロット設計によって、磁石２５は、磁石の１／２の長さだけいずれの方向にもチャネルスロット内を自由に移動することができる。長さ１０ミリメートルの磁石では、一方の方向に５ミリメートル、そしてもう一方の方向に５ミリメートル移動することができる。したがって、チャネルスロット２３の長さは１５ミリメートルのみである。チャネルスロット２３内の磁石２５の磁界は、トリガーエンドピースの上向きに面する磁石３６（トリガーハウジング内）に向かって、下に面する垂直に面する磁界を有し、これはチャネルスロット２３内の磁石２５の移動をもたらす。磁石２５が一方の方向に、またはもう一方の方向に５ミリメートルだけ移動すると、磁石の上部の色、赤または緑が見えるようになる、または図４に示すように透明窓５１を通してカバーまたはバー５０（図３Ａにも図示）によって覆われる。こうした警報は、インジケータハウジングのリッド２８の上面３３上に位置する。図３を見ると、５０のバーの覆いは、チャネル２３の中央の５ｍｍのセクションを覆い、したがって磁石２５の位置に応じて２５Ａまたは２５Ｂのいずれかを隠す。バーの覆い５０は磁石２５に接触せず、したがって磁石２５は自由に移動することが可能である。上向きに面する磁石３６からの移動および磁気的な結合が、上部インジケータ磁石２５の移動をもたらすことになることが分かる。したがって、上向きに面する磁石３６が一つの方向に移動するとき、インジケータチャネルスロット磁石、磁石２５は、移動の方向に追従する。前述の測定値は、例示のみを目的としている。
【０１５７】
図３Ａは、インジケータハウジング１８およびリッド２８を有する構成要素の側面図を示す。インジケータウィンドウ５１は、ガラス５８を保持するくぼみ２３Ａの上方にあり、ガラス５８は、チャネル２３内の磁石２５の上方にあるバーカバー５０の上方にある。縁部１８Ａは、リッド２８がインジケータハウジング１８の基部と嵌合するところである。
【０１５８】
図８および図９は、トリガー端部３４が定位置にない（図８）、およびトリガー端部３４が定位置にある（図９）、トリガーハウジング１を図示することを意図している。より具体的には、円筒形の永久磁石６、７、８、および９は、インジケータハウジング上の円筒形の永久磁石１９、２０、２１、および２２と対になる。固定された磁石２はチャネル１１の端部にある。図９では、チャネル１１内のその場でのトリガーエンドピース３４の「起動」があり、これにより前に面する磁石３５は固定された磁石２（引き寄せられる）と結合され、ウィッキング部分１０Ａはウィッキング部分１０Ｂから分離され（すなわち、材料の変化が生じた）、この分離は、トリガーエンドピース３４上の前に面する磁石３５を、その固定された磁石２への引力に伴い作用させる。また、本明細書に詳細に説明されるように、インジケータハウジングの磁界に伴い、その場で、作用することになる上向きに面する磁石３６も示されている。
【０１５９】
（図７、７Ａ、７Ｂ、７Ｃ、７Ｄを参照）２チャネルバージョンのトリガーハウジング、トリガーハウジングリッド、インジケータハウジング、インジケータハウジングリッドおよびトリガー部分の代替的な実施形態。
【０１６０】
図７は、ウィッキングセンサーおよびトリガーハウジング（２チャネルバージョン）の両方の可視部を有する上部インジケータハウジング（２チャネルバージョン）を包含する等角図である。
【０１６１】
図７Ａは、（図７Ｂに示すカバーまたはリッドなしで）開放され、かつ露出されたトリガー部分（２チャネルバージョン）のハウジングの内部レイアウトの上面図である。
【０１６２】
図７Ｂは、トリガー部分（２チャネルバージョン）のハウジングのリッドの下側の平面図である。
【０１６３】
図７Ｃは、（図７Ｄに示すカバーまたはリッドなしで）開放され、かつ露出されたインジケータ部分（２チャネルバージョン）のハウジングの内部レイアウトの上面図である。
【０１６４】
図７Ｄは、図７Ｃに示す、インジケータ部分（２チャネルバージョン）のハウジングのリッドの下側の平面図である。
【０１６５】
参照番号８０（図７Ａを参照）および８２（図７Ｃを参照）はそれぞれ、トリガーハウジングおよびインジケータハウジング内の左チャネルを指す。参照番号８１（図７Ａを参照）および８３（図７Ｃを参照）はそれぞれ、トリガーハウジングおよびインジケータハウジング内の右チャネルを指す。
【０１６６】
トリガーの機構
（図５、５Ｂ、５Ｆ、および５Ｇを参照）水分がウィッキングセンサーセクション１０Ｅに入り、ウィッキング部分１０Ｄおよび１０Ｃ（図５Ｇの拡大図に示す通り）を通って移動するとき、水分は重なったウィッキング部分１０Ｂ（図５Ｆの拡大図に示す通り）に到達し、ここで水溶解性接着剤１０Ｆを溶解し、図５Ｆに示すように、これは、ウィッキング部分１０Ｂと１０Ａとの間の重なった継ぎ目に位置する。接着剤１０Ｆが溶解すると、ウィッキング部分１０Ａと１０Ｂとの間の結合は破壊し、そしてトリガーエンドピースを固定された磁石２に向かって移動させる。結合１０Ｆが破壊すると、トリガーエンドピース（具体的には前に面する磁石３５）は、基部トリガーハウジング磁石２に向かって引かれ、そして磁石３５と２を一緒に（またはそれらの間の壁に）パチンとくっつける。上向きに面する磁石３６の磁界は、上部インジケータ移動可能磁石２５の磁界に影響を与え、かつ引く。漏れまたは湿りがないときは、ウィッキング部分１０Ａ、１０Ｂ、１０Ｃ、１０Ｄ、および１０Ｅと、トリガーエンドピース（複数可）３４とは、固定された磁石２と、トリガーエンドピースの前に面する磁石３５との間にギャップ２Ａを有して整列し、トリガーエンドピースの上向きに面する磁石３６は、上部インジケータリッド２８上の面３３上に位置するインジケータウィンドウ５１を通して示す緑色の磁石の色を有して、上部インジケータ構成要素磁石２５を整列させる（図３、４、および６Ａを参照）。
【０１６７】
上向きに面する磁石３６の位置および整列は、チャネルスロット２３内の上部インジケータ磁石２５を、上部インジケータチャネルスロット２３の後方に向かってへ引く。
【０１６８】
図６に示すように、インジケータハウジング１８は、カバーボード５５内のトリガーハウジング１およびリッド１７の上に配置される屋根膜４０の上に配置される。シールドされたウィッキング部分１０Ｄは、断熱材３９へと下がり、露出したウィッキングセンサー１０Ｅをコンクリートデッキ３８（または必要に応じて他のタイプのデッキ）上に配置する。
【０１６９】
図６Ａは、図６で印をつけた特定の区域の分解バージョンである、インジケータ部分の拡大等角図である。本明細書で言及されるように、チャネルスロット２３は、好ましくは長方形状の上部インジケータ磁石２５を収容し、チャネルスロットは、論理的に二つの等しい磁石セクション２５Ａおよび２５Ｂに分割される。これらは、色で区別されてもよい。例えば、磁石セクション２５Ａの上面は、赤色などの際立った色に塗装されてもよく、また磁石セクション２５Ｂの上面は、緑色などの際立った色を塗装されてもよい。図６Ａは、バーの覆い５０、インジケータウィンドウ５１、および上部インジケータ磁石２５をさらに示す。
【０１７０】
一態様では、ウィッキング部分は、その長さのすべてまたは一部に沿って、ウィッキングセンサー１０Ｅと接触する水分のみが、ウィッキング部分１０Ｄに沿って、１０Ｃおよび１０ＤＢで再び露出される場所へと吸い出されることを確保するように機能する、保護防水覆いまたはシース１０Ｄで覆われる。このように、意図されるウィッキングセンサーセクション１０Ｅ以外のウィッキング部分１０Ｄと接触する水分による誤った読み取りはない。さらに、防水覆いは、毛細管作用およびウィッキングセクション１０Ｄに沿って吸い出された水分の蒸発の低減の組み合わせを通して、ウィッキング部分のウィッキング効率を強化することも助ける可能性があることが企図される。
【０１７１】
セクション１０Ａ、１０Ｂ、１０Ｃ、１０Ｄ、および１０Ｅのウィッキング部分／センサーは、ポリビニルアルコール、ポリエステル繊維および／またはポリエステルのオープンセル材料構造からの異なるウィッキング材料で作製されてもよい。ウィッキング材料として使用されてもよい多くの代替的、かつ好適な物質としては、オープンセル材料、繊維、マイクロファイバーなどが上げられ、当業者に公知であろう。材料の適合性は、例えば、（ｉ）ウィッキング材料の繊維タイプまたはオープンセルタイプ、（ｉｉ）ウィッキング材料の構築、構造、および繊維およびセルの組み合わせ、（ｉｉｉ）ウィッキング材料の重量または厚さ、および（ｉｖ）ウィッキング材料内の化学処理の存在などを含む、水分輸送の質によって部分的に決定されてもよい。
【０１７２】
ウィッキング部分／センサー１０Ａ、１０Ｂ、１０Ｃ、１０Ｄ、および１０Ｅは、有機もしくは合成繊維、および／またはオープンセル材料、化学物質、および無機もしくは有機化合物、またはそれらの組み合わせから作製することができる。多くの好適な材料が選択されてもよい。当然ながら、主な機能は、材料が、一旦検出されたときの、ウィッキング部分の長さに沿った、水分の吸い出しおよび伝達に効果的であることである。考慮すべき他の要因としては、以下のうちの一つ以上が挙げられる場合がある：吸い出しの速度、耐久性、安定性（温度変化などに関する）、微生物耐性、不燃性、難燃性、可逆性など。
【０１７３】
前述したように、ウィッキングセクション１０Ｄにおける誤った読み取りを避けるために（例えば、試験されていない屋根構成要素が来る水分からの）、セクション１０Ｄは、防水覆い内に封入されてもよい。覆いは透明とすることも、または不透明とすることもできる。好ましくは、覆いは、耐火性、難燃性、不燃性、自己消火性、耐温度性、耐水性、および擦り傷および穴開け耐性のうちの一つ以上であるプラスチックまたは他の材料から作製される。１０Ｄ上の覆いのために好適な材料としては、以下が挙げられるが、これらに限定されない。ＰＶＣ熱収縮チューブ、ＰＴＦＥ（ポリテトラフルウレチエン）プラスチック熱収縮チューブ、またはＰＥＥＫ（ポリエーテルエーテルケトン）、直線状の半結晶芳香族ポリマープラスチック熱収縮チューブ。
【０１７４】
追加的な好ましい実施形態：
本発明は、建物膜の穴開けまたはこれを傷つけることを必要としない水分の漏れを検出および表示において使用するための装置を提供し、ｉ）ウィッキングセンサーと、ｉｉ）長手方向または別の方法でウィッキングセンサーに接合されたウィッキング部分と、ｉｉｉ）使用時に建物膜の下方への配置のための非電子トリガーハウジングであって、ウィッキングセンサーからの水分に応答したウィッキング部分から信号を受信するように適合された当該非電子トリガーハウジングと、ｉｖ）使用時に、建物膜の上方の、かつトリガーハウジングと整列した配置のための非電子インジケータハウジングと、を備え、当該非電子インジケータハウジングは、トリガーハウジングから非電子トリガー信号を受信し、かつ、その後、漏れの通知を生成するように適合される。
【０１７５】
好ましくは、非電子トリガー信号は、トリガーハウジングおよびインジケータハウジング内の二つ以上の構成要素の少なくとも一つの磁界結合である。好ましくは、通知は、そうでなければトリガーハウジングから非電子トリガー信号があるまで分離されている、二つ以上の磁石（建物膜の下方に少なくとも一つ、および建物膜の上方に少なくとも一つ）の結合によって達成される。好ましくは、トリガーハウジングは、トリガーハウジングのチャネル内で使用時に設定可能なトリガーエンドピースを備え、かつこのトリガーエンドピースは、ウィッキングセンサーの遠位のウィッキング部分の一方の端部（「トリガー部分」）に取り外し可能に取り付けられる。好ましくは、ウィッキング部分は、ウィッキングセンサーからの水分に応答して実質的に変化可能であり（「材料の変化」）、そしてそれによって、トリガー部分を起動して、トリガーハウジング内の第一の磁界と、インジケータハウジング内の第二の磁界とを結合させる手段を形成し、当該結合は、その後、インジケータハウジング内の水分警報を起動する。好ましくは、トリガーエンドピースは、装置のセットアップ中に、チャネルの端部にある固定された磁石およびインジケータハウジング内の磁石に引き付けられる上向きに面する磁石から引き付けられるが、離隔する、前向きに面する磁石を備える。好ましくは材料の変化は、分離、分割、破損、部品の溶解、伸張、収縮、膨張、上昇、下降、垂直もしくは水平もしくは斜めの移動、引き、押し、またはそれらの任意の組み合わせを含むがこれらに限定されない、ウィッキング部分の任意の物理的破壊である。
【０１７６】
好ましくは、磁界結合が、そうでなければ、ウィッキングセンサーの少なくとも一部において材料の変化があるまで分離されている、二つ以上の磁石（建物膜の下方の磁石および建物膜の上方の磁石）の結合によって達成される。好ましくは、トリガーハウジングは、トリガーエンドピースを備え、使用時にトリガーハウジングのチャネル内で設定可能であり、かつそのトリガーエンドピースは、ウィッキングセンサーの遠位のウィッキング部分の一方の端部（「トリガー部分」）に取り外し可能に取り付け可能であり、装置は、トリガーエンドピース上に前向きに面する磁石および上向きに面する磁石と、トリガー基部ハウジングのチャネルの端部における固定された磁石と、少なくとも一つのインジケータハウジング磁石と、を備え、その磁石は、水平および垂直の移動、転がり、摺動、回転、傾斜、トグル、反転、上昇もしくは下降、旋回、または前述の任意の組み合わせを含む、移動の能力を有する。
【０１７７】
好ましくは、本発明の装置は、ウィッキングセンサーの少なくとも一部における材料の変化によって、トリガーハウジング内のチャネルの端部において固定された磁石へと引き付けられるが、しかし装置の設定中に離隔される、トリガーエンドピース上に配置された前向きに面する磁石と、インジケータハウジング内の磁石へと引き付けられる上向きに面する磁石と、を移動させることが可能であり、これらの磁石は、水平および垂直の移動、転がり、摺動、回転、傾斜、トグル、反転、上昇もしくは下降、旋回、または前述の任意の組み合わせを含む移動の能力を有する。好ましくは、トリガーハウジングは、トリガーエンドピースを備え、トリガーハウジングのチャネル内で使用時に設定可能であり、かつこのトリガーエンドピースは、ウィッキングセンサーの遠位のウィッキング部分の一方の端部（「トリガー部分」）に取り外し可能に取り付け可能であり、装置は、ウィッキング部分内の材料の変化に応答して、トリガーエンドピースを引く手段（「引張手段」）をさらに備え、これにより非電子トリガー信号がインジケータへと送達されて漏れの通知が可能になる。好ましくは、トリガーハウジングは、トリガーエンドピースを備え、トリガーハウジングのチャネル内で使用時に設定可能であり、かつこのトリガーエンドピースは、ウィッキングセンサーの遠位のウィッキング部分の一方の端部（「トリガー部分」）に取り外し可能に取り付け可能であり、装置は、ウィッキング部分内の材料の変化に応答して、トリガーエンドピースを押す手段（「押し手段」）をさらに備え、これにより非電子トリガー信号がインジケータへと送達されて漏れの通知が可能になる。好ましくは、引張手段は、弾性バンド、ワイヤ、ばね、および引張力を生成する能力を有する他の材料からなる群から選択される任意の付勢手段である。好ましくは、押し手段は、弾性バンド、ワイヤ、ばね、膨張材料、および押す力を生成する能力を有する他の材料からなる群から選択される任意の付勢材料である。より好ましくは、押す手段は、押す手段は、圧縮ゴム、プラスチック発泡体、および他の圧縮材料、ならびに押す力を生成する能力を有する物質からなる群から選択される任意の膨張材料である。
【０１７８】
好ましくは、トリガーハウジングは、トリガーハウジングのチャネル内で使用時に設定可能なトリガーエンドピースを備え、かつこのトリガーエンドピースが、ウィッキングセンサーの遠位のウィッキング部分の一方の端部（「トリガー部分」）に取り外し可能に取り付けられ、かつ装置は、
ｉ）ウィッキング部分内の材料の変化に応答して、トリガーエンドピースを押す手段（「押し手段」）と、
ｉｉ）ウィッキング部分の材料の変化に応答して、トリガーエンドピースを引く手段（「引張手段」）と、
ｉｉｉ）トリガーハウジングおよびインジケータハウジング内に、二つ以上の構成要素の磁界結合を発生するための手段と、のうちの一つ以上をさらに備え、
これにより、非電子トリガー信号の前記インジケータへの送達が生じて、漏れの通知を可能にする。
【０１７９】
好ましくは、インジケータハウジングは、少なくとも一つの磁界感知／表示シートまたはフィルムを備える。より好ましくは、インジケータハウジングは、磁界感知強磁性流体を備える。
【０１８０】
好ましくは、非電子インジケータハウジングは、トリガーハウジングから非電子トリガー信号を受信し、そしてその後漏れの通知を生成する、少なくとも一つの長方形状磁石を備える。好ましくは、非電子インジケータハウジングが、トリガーハウジング内の類似の円筒状磁石へと引き付けられる複数の円筒状磁石を備え、これにより使用時に、非電子インジケータハウジングおよびトリガーハウジングが適切に整列される。好ましくは、非電子インジケータハウジングは、各隅に一つずつ四つの円筒状位置決め磁石を備え、二つは前部円筒状インジケータハウジング位置決め磁石であり、そして二つは後部円筒状インジケータハウジング位置決め磁石であり、またトリガーハウジングも、各隅に一つずつ四つの円筒状位置決め磁石も備え、二つは、前部円筒状トリガーハウジング位置決め磁石であり、そして二つは、後部円筒状トリガーハウジング位置決め磁石であり、かつ後部円筒状トリガーハウジング位置的磁石は、インジケータハウジングが、トリガーハウジングに対して一つの向きでのみ位置決めすることができることを確実にするために、前部円筒状インジケータハウジング位置決め磁石に対して反対の極性の向きである。
【０１８１】
好ましくは、非電子インジケータハウジングは、各隅に一つずつ四つの円筒状位置決め磁石を備え、二つは前部円筒状インジケータハウジング位置決め磁石であり、そして二つは後部円筒状インジケータハウジング位置決め磁石であり、また非電子インジケータハウジングは、トリガーハウジングからのトリガー信号の受信に伴い、その後漏れの通知を生成するために、トリガーしていない位置（水分の検出なし）からトリガーした位置（水分検出）へと移動可能なインジケータ磁石も含み、二つの前部円筒状インジケータハウジング位置決め磁石は、インジケータ磁石と同じ極性および向きであり、これにより水分の検出とトリガー発生まで、インジケータ磁石は前記二つの前部円筒状インジケータハウジング位置決め磁石によって定位置に保持される（トリガー位置へと物理的に引っ張ることができない）。
【０１８２】
好ましくは、トリガーハウジングは、トリガーハウジングのチャネル内で使用時に設定可能なトリガーエンドピースを備え、かつこのトリガーエンドピースは、ウィッキングセンサーの遠位のウィッキング部分の一方の端部（「トリガー部分」）に取り外し可能に取り付けられ、トリガーエンドピースは、前に面する磁石および上向きに面するトリガーハウジング結合磁石を備え、トリガーハウジングのチャネルは、前に面する磁石へと引き付けられる固定された磁石を備え、インジケータハウジングは、トリガーハウジングからトリガー信号を受信すると、その後漏れの通知を生成するために、トリガーしていない位置（水分の検出なし）からトリガーした位置（水分検出）へと移動可能なインジケータ磁石を備え、上向きに面するトリガーハウジング結合磁石が意図的に位置付けられ、インジケータ磁石から実質的に後方に引かれ、これによりインジケータハウジングは前記建物膜に対して、トリガーハウジングの真上に、正しく位置付けられ、かつ接着されているとき、インジケータ磁石と前記上向きに面するトリガーハウジング結合磁石との間の引きは相当であり、そして水分検出のトリガーがあるとき、前に面する磁石は、固定された磁石に向かってパチンコのように飛び出し、そして上向きに面するトリガーハウジング結合磁石は、インジケータ磁石を係合し、かつ摩擦を克服するのを助ける。
【０１８３】
好ましくは、建物膜は屋根膜である。好ましくは、ウィッキングセンサーは水分浸透性であり、かつウィッキング部分は水分浸透性ではない。好ましくは、漏れの前記通知を生成する手段は、非電子インジケータハウジングにおいて警報を提供するための、少なくとも一つの磁気的なポップピン、部品、または他の構成要素を含む。より好ましくは、漏れの通知を生成する手段は、非電子インジケータハウジングにおいて警報を提供するための、少なくとも一つの磁気的な飛び出すピン、部品、または他の構成要素を含み、そのピン、部品、または他の構成要素が、暗色、有色、白色、および不透明、から成る群から選択される自由抵抗液体を変位させる。より好ましくは、漏れの通知を生成するための手段は、非電子トリガー信号の影響下で移動に反応する（引き上げられる、または押し下げられる）非電子インジケータハウジング内の円筒管を含む。
【０１８４】
好ましくは、本発明の装置は、トリガーハウジング内に、その上向きの移動が、インジケータハウジングがトリガーハウジングの上方で正しく中心に位置するという警報を提供する、第二の同じ極性磁石に対して押し上げる磁界発生手段をさらに備える。好ましくは、漏れの通知を生成する手段は、上部磁石を下降または上昇させて、それによって水分の視覚的警報を生成するように協調して作用する、反対側の極性磁石（インジケータハウジング内の上部磁石およびトリガーハウジング内の下部磁石）を備える。
【０１８５】
本発明は、建物膜の穴開けまたは傷つけることを必要としない水分の漏れを検出および表示する方法を提供し、これは、
ａ）ウィッキングセンサーにおいて水分を検出することと、
ｂ）ウィッキングセンサーからウィッキング部分へと水分を吸い出すことと、
ｃ）水分の結果としてウィッキング部分の少なくとも一部における材料の変化をもたらすことであって、こうした変化がトリガー部分とインジケータ部分との間の係合をトリガーすることと、
ｄ）こうした係合に応答してインジケータ部分内に検出可能な信号を作り出すことであって、こうした検出可能な信号がウィッキングセンサーにおける水分の通知である、作り出すことと、を含み、
トリガー部分は、建物膜の下方に配置されるように適合され、かつウィッキング部分およびウィッキングセンサーと機能的係合状態にあり、またインジケータ部分は建物膜の上方に配置されるように適合される。
【０１８６】
好ましくは、方法の中で、ウィッキングセンサーは水分浸透性であり、かつウィッキング部分は水分浸透性ではない。好ましくは、方法の中で、トリガー部分とインジケータ部分との間の係合をトリガーすることは、そうでなければ、ウィッキングセンサーの少なくとも一部に材料の変化が生じるまで分離されている二つ以上の磁石（建物膜の下方の磁石、および前記建物膜の上方の磁石）の結合によって達成される。好ましくは、方法の中で、磁界結合は、そうでなければ、ウィッキングセンサーの少なくとも一部に材料の変化が生じるまで分離されている二つ以上の磁石（建物膜の下方の磁石および建物膜の上方の磁石）を結合することによって達成され、これは少なくとも一つの磁石をもう一方の磁石に対して移動させ、こうした移動は、水平および垂直の移動、転がり、摺動、回転、傾斜、トグル、反転、上昇もしくは下降、旋回、または前述の任意の組み合わせを含む。好ましくは、方法の中で、材料の変化は、分離、分割、破損、部品の溶解、伸張、収縮、膨張、上昇、下降、垂直もしくは水平もしくは斜めの移動、引き、押し、またはそれらの任意の組み合わせを含むがこれらに限定されない、ウィッキング部分の任意の物理的破壊である。
【０１８７】
本発明は、建物膜の穴開けまたは建物膜を傷つけることを必要としない水分の漏れを検出および表示する方法をさらに提供し、これは、
ａ）ウィッキングセンサーにおいて水分を検出することと、
ｂ）ウィッキングセンサーから一つ以上のウィッキング部分へと水分を吸い出すことと、
ｃ）水分の結果として、一つのトリガーエンドピース内のウィッキング部分における材料の変化をもたらすことであって、こうした変化がトリガーエンドピース内のトリガー部分とインジケータ部分との間の係合をトリガーすることと、
ｄ）こうした係合に応答してインジケータ部分内に検出可能な信号を作り出すことであって、こうした検出可能な信号がウィッキングセンサーにおける水分の通知である、作り出すことと、を含み、
トリガーエンドピース内のトリガー部分が、建物膜の下方に配置されるように適合され、かつウィッキング部分およびウィッキングセンサーと機能的係合状態にあり、またインジケータ部分が建物膜の上方に配置されるように適合される。
【０１８８】
好ましくは、方法の中で、トリガー部分とインジケータ部分との間の係合をトリガーすることは、ウィッキング部分の材料の変化に応答してトリガーエンドピースを引く任意の手段（「引張手段」）によって達成される。好ましくは、方法の中で、トリガー部分とインジケータ部分との間の係合をトリガーすることは、ウィッキング部分の材料の変化に応答してトリガーエンドピースを押す任意の手段（「押し手段」）によって達成される。好ましくは、方法の中で、引張手段は、弾性バンド、ワイヤ、およびばね、ならびに引張力を生成する能力を有する他の材料からなる群から選択される任意の付勢手段である。好ましくは、方法の中で、押し手段は、弾性バンド、ワイヤ、ばね、および膨張材料、ならびに押す力を生成する能力を有する他の材料からなる群から選択される任意の付勢材料である。より好ましくは、方法の中で、押し手段は、圧縮ゴムまたはプラスチック発泡体、および他の圧縮材料、ならびに押す力を生成する能力を有する物質からなる群から選択される任意の膨張材料である。
【０１８９】
好ましくは、本発明の装置および方法の中で、磁石は、円形、長方形状、円筒状、および正方形からなる群から選択される形状であるが、他の形状が使用のために意図されており、本発明は全体としてこの手段に限定されるべきではない。
【０１９０】
好ましくは、本発明の装置および方法の中に、長さが短くなり、そしてユーザーが穴を開ける、または切り取る穴の中に挿入されるバヨネットセンサーが提供される。
【０１９１】
好ましくは、本発明の装置は、漏れ／水分の通知を伝達するための無線／Ｗｉ−Ｆｉ／データ信号送信機をさらに備える。装置は、モバイルアプリケーション、ウェブプラットフォーム、またはデータストレージ（例えば、クラウド／プライベートサーバー／パブリックサーバーにおける）のうちの一つ以上の上で視認するために（ユーザーによって）、インターネットゲートウェイを介して警報を伝達する手段をさらに備えることが好ましい。
【０１９２】
ＩＩＩ代替的な実施形態
本発明の中心となる態様の他に、多数の装置および方法のバリアントが利用可能かつ選択可能であることが理解されるべきである。
【０１９３】
様々なウィッキング材料、覆いおよびインジケータ材料の異なる設計
１．水分ウィッキング材料：あるいは、水分ウィッキング材料または物質は、有機または無機材料から作製することができるが、腐らない無機材料から作製することが好ましい。この材料は、例えば、ポリビニルアルコール、繊維ガラス、ポリエステル、ポリプロピレン、または他の合成材料もしくは無機材料または複合設計であってもよい。
２．キャピラリー管の覆いに対する異なる形状を可能にする代替手段：代替的に、ウィッキング部分１０Ｄは、平坦な、丸みのある、正方形、長方形、八角形、もしくは六角形の形状、または好ましい任意の他の可能な形状である覆いを提供することができる。
３．代替的な水分吸い出し構造の長さ：代替的に、ウィッキング部分／センサー１０Ｄまたは１０Ｅの各々は、エンドユーザーによって適切な長さに切り取るように、好ましいだけ長い長さに構築することができる。
４．追加的なテープを用いる構築：追加的なテープを用いる構築：代替的に、接着テープをウィッキング部分１０Ｄの底部に追加して、キャピラリーチューブを屋根構成要素に接着することができる。
５．補強材料を用いる構築：代替的に、１０Ｄウィッキング部分の内側に補強材料を追加して（そして１０Ｅに接着）、水分ウィッキング部分が形状を保持するのを支援する。材料は、おそらくは、アルミニウム、炭素繊維、繊維ガラス、難燃性、もしくは不燃性、またはプラスチックなどの自己消火性材料、または他の材料とすることが可能である。
【０１９４】
異なる屋上突出物の近くの設置および詳細
１．本発明は、屋根パイプジャックまたは煙突、吸気または排気屋根通気口、屋根アンカー、マルチフラッシュボックス、電気レトロボックス、屋根ブリーザーベント、プレハブ式の縁、ＨＶＡＣユニット用鋼製の縁、ハッチ、壁、手すり壁、コントロールジョイント、天窓、ファンの縁、銅製スパンドレン、アルミニウム製ドレン、鋳鉄製ドレン、排水溜まり、排水口、および他の屋上機器の近くで使用することができる。代替的に、屋根センサーは、屋根の「フィールド」区域内でＲＴＵから離れて設置することができる。屋根センサーは、屋根壁および屋根手すり壁の側面にも、屋根表面より効果的に設置することができる。
【０１９５】
火炎、カビ、真菌、水分保護のための設計が可能
１．代替的に、耐火性材料または物質をウィッキング材料に追加する。
２．代替的に、ユニット筐体ハウジングに難燃性材料または物質を追加する。
３．代替的に、耐カビ材料または物質をウィッキング材料に追加する。
４．代替的に、ウィッキング材料に耐真菌材料または物質を追加する。
５．代替的に、物質または化学物質を加えて、吸い出した水分を凍結から保持する。
【０１９６】
図４に示すように、インジケータウィンドウ５１は、材料および設計の慎重な選択を用いて、ＵＶ放射、酸化、風食作用、雨食、熱損傷、および接触損傷から保護するように設計されることが好ましい。チャネル保持磁石は、上部ガスケットで封止され、かつ、例えば、アルゴンまたはクリプトン（Ｋｒｙｔｏｎ）ガスで充填されて、寒冷な天候の間のチャネル内の凝縮を防止してもよい。
【０１９７】
トリガーハウジングの代替的な設計、構成要素、およびその使用方法：
１．代替案として、磁石２および３５は、トリガーエンドピース３４を引く弾性タイプのバンド、ワイヤ、またはばねで置き換えられてもよく、またウィッキング部分内の材料の変化に応答するそのウィッキング材料１０Ａで置き換えられてもよい。
２．さらなる代替案として、磁石２および３５は、トリガーエンドピース３４を押すばねまたは膨張材料（例えば、圧縮ゴムまたはプラスチック発泡体など）で置き換えることが可能であり、またウィッキング部分内の材料の変化に応答するそのウィッキング材料１０Ａで置き換えることが可能である。
３．さらなる代替案として、前述の組み合わせ、すなわち、トリガーハウジング内のチャネル／スロットの端部に向かってトリガーエンドピースおよび／またはウィッキング部分を押す、もしくは引くために圧力を印加する手段の提供が提供され、それによって、インジケータユニット内の磁石または強磁性材料を移動させるトリガーハウジング内の磁気結合を起動する。
【０１９８】
本明細書に説明される装置、方法、およびシステムの形態は本発明の好ましい実施形態を構成するが、本発明はこれらの厳密な形態に限定されないことが理解されるべきである。当業者には明らかであろうように、上述の様々な実施形態を組み合わせて、さらなる実施形態を提供することができる。本発明の概念を最も良好に採用するために、必要に応じて、本装置、方法、およびシステム（その具体的な構成要素を含む）の態様を修正することができる。これらの態様は、特許請求されるように、本発明の範囲内で完全に考えられる。例えば、上述の様々な方法は、一部の行為を省略してもよく、他の行為を含んでもよく、かつ／または例示した実施形態に記載されるものとは異なる順序で行為を実行してもよい。装置の好ましい態様は任意選択的であり、また本発明の核心に向かわない場合がある。
【０１９９】
これらおよびその他の変更は、上記の説明に照らして、本装置、システム、および方法に対して行うことができる。一般的に、以下の特許請求の範囲において、使用される用語は、本発明を本明細書および特許請求の範囲に開示される特定の実施形態に限定するものとして解釈されるべきではないが、かかる特許請求の範囲が権利を有する均等物の完全な範囲とともにすべての可能な実施形態を含むものとして解釈されるべきである。したがって、本発明は、本開示によって限定されないが、その範囲は、以下の特許請求の範囲によって完全に決定されるべきである。
【０２００】
凡例
１    トリガーハウジング（別名、トリガー基部ハウジング）
２    固定された磁石
４    ポート／開口部
６〜９ トリガーハウジング上の円筒形の永久磁石
９Ａ  その中に円筒形の永久磁石９が配置される基部ハウジングのくぼみ
１０Ａ ウィッキングセンサーの水溶解性接着剤への取り付け点  
１０Ｂ ウィッキング部分
１０Ｃ ウィッキング部分
１０Ｄ ウィッキング部分（ウィッキングセンサーに最も近い）
１０Ｅ ウィッキングセンサー
１０Ｆ 水溶解性接着剤
１１  トリガーハウジングを有するチャンバースロット／チャネル
１７  基部リッド
１８  インジケータハウジング
１８Ａ 縁部１８Ａ（リッド２８がインジケータハウジング１８の基部と嵌合するところ）
１９〜２２  インジケータハウジング上の円筒形の永久磁石
１９Ａ その中に円筒形磁石１９が配置されるインジケータハウジングのくぼみ
２３Ａ 保持ガラス５８を有するくぼみ
２５  インジケータ磁石（２５Ａおよび２５Ｂとして分割される）
２７  インジケータハウジングの表面
２８  インジケータハウジングのリッド
３３  リッド２８の上面
３４  トリガーエンドピース
３４Ａ プラスチックが取り除かれたトリガーエンドピース３４のセクション
３５  前に面する磁石
３６  上向きに面する磁石（別名トレイ結合磁石）
３７  トリガーエンドピースの上部表面、別名上部平面
３８  コンクリートデッキ
３９  断熱材
４０  屋根膜
４２  水分検出システム全体
４３Ａ 取り外し可能なタームバー
４３Ｂ 基部センサーハウジングセクション
４４  水分ウィッキング部分の一般的区域  
４６  トリガーシステムの一般的区域
５０  バー覆い
５１  インジケータウィンドウ
５３Ａ／５３Ｂ     タームバー締結ナット
５３Ｃ／５３Ｄ     トリガーハウジングの下側の六角形穴  
５５  カバーボード
５７  補強材料
５８  ガラス
８０  左チャネル（２チャネルトリガーハウジング内）
８１  右チャネル（２チャネルトリガーハウジング内）
８２  左チャネル（２チャネルインジケータハウジング内）
８３  右チャネル（２チャネルインジケータハウジング内）
【図１】
2022502677.tif 000003
【図１Ａ】
2022502677.tif 000004
【図２】
2022502677.tif 000005
【図３】
2022502677.tif 000006
【図３Ａ】
2022502677.tif 000007
【図４】
2022502677.tif 000008
【図５】
2022502677.tif 000009
【図５Ｂ】
2022502677.tif 000010
【図５Ｃ】
2022502677.tif 000011
【図５Ｄ】
2022502677.tif 000012
【図５Ｆ】
2022502677.tif 000013
【図５Ｇ】
2022502677.tif 000014
【図６】
2022502677.tif 000015
【図６Ａ】
2022502677.tif 000016
【図７】
2022502677.tif 000017
【図７Ａ】
2022502677.tif 000018
【図７Ｂ】
2022502677.tif 000019
【図７Ｃ】
2022502677.tif 000020
【図７Ｄ】
2022502677.tif 000021
【図８】
2022502677.tif 000022
【図９】
2022502677.tif 000023
【国際調査報告】
2022502677.tif 000024
2022502677.tif 000025